【手続補正書】
【提出日】平成20年4月12日(2008.4.12)
【手続補正１】
【補正対象書類名】特許請求の範囲
【補正対象項目名】全文
【補正方法】変更
【補正の内容】
【特許請求の範囲】
【請求項１】
ナノマテリアルを剥離及び分散する方法であって、
カーボンナノマテリアル及び窒化ホウ素ナノマテリアルから選択されるナノマテリアルと、
「ｎ」モノマー単位の骨格を有するポリ（アリーレンエチニレン）ポリマーと、
Ｐａ、Ｐｂ、Ｐｃ、又はその組み合わせから選択される構造であって、
【化１】
2007533797.tif 000001
式中、
ｎは５〜１９０であり、更に前記ポリ（アリーレンエチニレン）ポリマーは２０ナノメーター〜２００ナノメーターの長さを有し、
Ｘ１Ｒ１、Ｘ２Ｒ２、Ｙ１Ｒ３、Ｙ２Ｒ４、及びＹ２Ｒ２は電子供与基又は電子求引基のいずれかであり、
前記ポリ（アリーレンエチニレン）が構造Ｐａを有し、Ｘ１Ｒ１及びＸ２Ｒ２が電子供与性である場合、Ｙ１Ｒ３及びＹ２Ｒ４は電子求引性であり、Ｘ１Ｒ１及びＸ２Ｒ２が電子吸引性である場合、Ｙ１Ｒ３及びＹ２Ｒ４は電子供与性であり、
前記ポリ（アリーレンエチニレン）が構造Ｐｂを有し、Ｘ１Ｒ１及びＸ２Ｒ２が電子供与性である場合、Ｙ１Ｒ３は電子求引性であり、Ｘ１Ｒ１及びＸ２Ｒ２が電子求引性である場合、Ｙ１Ｒ３は電子供与性であり、
前記ポリ（アリーレンエチニレン）がＰｃ構造を有し、Ｘ１Ｒ１が電子供与性である場合、Ｙ２Ｒ２は電子求引性であり、Ｘ１Ｒ１が電子求引性である場合、Ｙ２Ｒ２は電子供与性であり、
Ｘ１、Ｘ２、Ｙ１、及びＹ２はそれぞれ独立的に、ＣＯ、ＣＯＯ、ＣＯＮＨ、ＣＯＮＨＣＯ、ＣＯＯＣＯ、ＣＯＮＨＣＮＨ、ＣＯＮ、ＣＯＳ、ＣＳ、アルキル、アリール、アリル、Ｎ、ＮＯ、Ｓ、Ｏ、ＳＯ、ＣＮ、ＣＮＮ、ＳＯ２、Ｐ、又はＰＯであり、更に、
Ｒ１〜Ｒ４は独立的に、アルキル、フェニル、ベンジル、アリール、アリル、水素である
構造を有するものと、
剥離したナノマテリアルの分散物を形成するための分散溶媒と
を混合する工程を有する
ナノマテリアルを剥離及び分散する方法。
【請求項２】
請求項１の方法において、前記ポリ（アリーレンエチニレン）は、ポリ（フェニレンエチニレン）である。
【請求項３】
請求項１の方法において、この方法は、更に、
前記ナノマテリアルを前記ポリ（フェニレンエチニレン）と混合する前に、前記ポリ（アリーレンエチニレン）と反応物質Ｚとを結合させる工程を有し、
Ｚは、電子求引性であるＸ１Ｒ１、Ｘ２Ｒ２、Ｙ１Ｒ３、Ｙ２Ｒ４、及びＹ２Ｒ２の少なくとも１つと結合しており、
Ｚは、独立的に、アセタール、酸ハロゲン化物、アクリレート単位、アシルアジド、アルデヒド、無水物、環状アルカン、アレーン、アルケン、アルキン、ハロゲン化アルキル、アリール、ハロゲン化アリール、アミン、アミド、アミノ、アミノ酸、アルコール、抗生物質、アジド、アジリジン、アゾ化合物、カリックスアレーン、炭水化物、炭酸塩、カルボン酸、カルボン酸塩、カルボジイミド、シクロデキストリン、クラウンエーテル、ＣＮ、クリプタンド、デンドリマー、デンドロン、ジアミン、ジアミノピリジン、ジアゾニウム化合物、ＤＮＡ、エポキシ、エステル、エポキシド、フラーレン、グリオキサル、ハロゲン化物、ヒドロキシ、イミド、イミン、イミドエステル、ケトン、ニトリル、イソチオシアナート、イソシアナート、イソニトリル、ケトン、ラクトン、金属錯体の配位子、生体分子錯体の配位子、脂質、マレイミド、メラミン、メタロセン、ＮＨＳエステル、ニトロアルカン、ヌクレオチド、オレフィン、オリゴ糖、ペプチド、フェノール、フタロシアニン、ポルフィリン、ホスフィン、ホスホン酸塩、ポリアミン、ポリイミン、２，２’−ビピリジン、１，１０−フェナントロリン、テルピリジン、ピリダジン、ピリミジン、プリン、ピラジン、１，８−ナフチリジン、かご型シルセスキオキサン（ＰＯＳＳ）、ピラゾレート、イミダゾレート、トリ−ｎ−ブチルドデカヒドロヘキサアザケクレン、ヘキサピリジン、４，４’−ビピリミジン、ポリプロポキシアルキル、タンパク質、ピリジン、第四級アンモニウム塩、第四級ホスホニウム塩、キノン、ＲＮＡ、シッフ塩基、セレン化合物、セパルクレート（Ｓｅｐｕｌｃｈｒａｔｅ）、シラン、スチレン１単位、硫化物、スルホン、スルフヒドリル基、塩化スルホニル、スルホン酸、スルホン酸エステル、スルホン酸塩、スルホキシド、硫黄及びセレン化合物、チオール、チオエーテル、チオール酸、チオエステル、チミン、又はそれらの組み合わせである。
【請求項４】
請求項１の方法において、
各モノマー部位は、少なくとも１つの電子供与基又は少なくとも１つの電子求引基を有しており、
少なくとも１つのモノマー部位は少なくとも１つの電子供与基を有し、少なくとも１つのモノマー部位は少なくとも１つの電子求引基を有しており、更に、
前記ポリ（アリーレンエチニレン）は、受容体モノマー部位に対する供与体モノマー部位の比が１：１以外となっているものである。
【請求項５】
請求項１の方法において、前記ポリ（アリーレンエチニレン）は、Ｐａ構造を有し、Ｘ１Ｒ１＝Ｘ２Ｒ２、及びＹ１Ｒ３＝Ｙ２Ｒ４である。
【請求項６】
請求項３の方法において、前記ポリ（アリーレンエチニレン）は、Ｐａ構造を有し、Ｘ１＝Ｘ２＝ＣＯＯ、Ｙ１＝Ｙ２＝Ｏであり、更にＲ１〜Ｒ４は、独立的に、アルキル、Ｚ置換アルキル、フェニル、Ｚ置換フェニル、ベンジル、Ｚ置換ベンジル、アリール、Ｚ置換アリール、アリル、Ｚ置換アリル、又は水素である。
【請求項７】
請求項１の方法において、前記ポリ（アリーレンエチニレン）は、Ｐｂ構造を有し、更にＸ１Ｒ１＝Ｘ２Ｒ２である。
【請求項８】
請求項３の方法において、前記ポリ（アリーレンエチニレン）は、Ｐｂ構造を有し、Ｘ１＝Ｘ２＝ＣＯＯ、及びＹ１＝Ｏであり、Ｒ１〜Ｒ３は独立的に、アルキル、Ｚ置換アルキル、フェニル、Ｚ置換フェニル、ベンジル、Ｚ置換ベンジル、アリール、Ｚ置換アリール、アリル、Ｚ置換アリル、又は水素である。
【請求項９】
請求項３の方法において、前記ポリ（アリーレンエチニレン）は、Ｐｃ構造を有し、Ｘ１＝ＣＯＯ、及びＹ２＝Ｏであり、Ｒ１〜Ｒ２は独立的に、アルキル、Ｚ置換アルキル、フェニル、Ｚ置換フェニル、ベンジル、Ｚ置換ベンジル、アリール、Ｚ置換アリール、アリル、Ｚ置換アリル、又は水素である。
【請求項１０】
請求項１の方法において、前記ポリ（アリーレンエチニレン）は、Ｐａ構造を有し、Ｘ１Ｒ１＝Ｘ２Ｒ２＝ＣＯＯＨ、及びＹ１Ｒ３＝Ｙ２Ｒ４＝ＯＣ１０Ｈ２１である。
【請求項１１】
請求項１の方法において、前記ポリ（アリーレンエチニレン）は、Ｐａ構造を有し、Ｘ１Ｒ１＝Ｘ２Ｒ２＝ＣＯＯＣ（ＣＨ３）３、及びＹ１Ｒ３＝Ｙ２Ｒ４＝ＯＣ１０Ｈ２１である。
【請求項１２】
請求項１の方法において、前記ポリ（アリーレンエチニレン）は、Ｐａ構造を有し、Ｘ１Ｒ１＝Ｘ２Ｒ２＝ＣＯＯ−アルキル、及びＹ１Ｒ３＝Ｙ２Ｒ４＝ＯＣ１０Ｈ２１である。
【請求項１３】
請求項１の方法において、前記ポリ（アリーレンエチニレン）は、Ｐａ構造を有し、Ｘ１Ｒ１Ｚ＝Ｘ２Ｒ２Ｚ＝ＣＯＯ−ポリエトキシアルキル、及びＹ１Ｒ３＝Ｙ２Ｒ４＝ＯＣ１０Ｈ２１である。
【請求項１４】
請求項１の方法において、前記ポリ（アリーレンエチニレン）は、Ｐａ構造を有し、Ｘ１Ｒ１Ｚ＝Ｘ２Ｒ２Ｚ＝ＣＯＮＨＣＨ（ＣＨ３）ＣＨ２ＯＣＨ（ＣＨ３）ＣＨ２Ｏアルキル、及びＹ１Ｒ３＝Ｙ２Ｒ４＝ＯＣ１０Ｈ２１である。
【請求項１５】
請求項４の方法において、前記ポリ（アリーレンエチニレン）の各モノマー単位は、３：１又は１：３の供与体／受容体モノマー部位のモル比を有するものである。
【請求項１６】
請求項４の方法において、前記ポリ（アリーレンエチニレン）の各モノマー単位は、７：１又は１：７の供与体／受容体モノマー部位のモル比を有するものである。
【請求項１７】
請求項１の方法において、前記カーボンナノマテリアルは、多層カーボンナノチューブ、単層カーボンナノチューブ、カーボンナノ粒子、カーボンロープ、カーボンリボン、カーボン原線維、又はカーボンニードルを含むものである。
【請求項１８】
請求項１の方法において、前記窒化ホウ素ナノマテリアルは、多層窒化ホウ素ナノチューブ、単層窒化ホウ素ナノチューブ、窒化ホウ素ナノ粒子、窒化ホウ素繊維、窒化ホウ素ロープ、窒化ホウ素リボン、窒化ホウ素原線維、又は窒化ホウ素ニードルを含むものである。
【請求項１９】
請求項１の方法において、前記分散溶媒は、クロロホルム、クロロベンゼン、水、酢酸、アセトン、アセトニトニル、アニリン、ベンゼン、ベンゾニトリル、ベンジルアルコール、ブロモベンゼン、ブロモホルム、１−ブタノール、２−ブタノール、二硫化炭素、四塩化炭素、シクロヘキサン、シクロヘキサノール、デカリン、ジブロモメタン、ジエチレングリコール、ジエチレングリコールエーテル、ジエチルエーテル、ジグリム、ジメトキシメタン、Ｎ，Ｎ−ジメチルホルムアミド、エタノール、エチルアミン、エチルベンゼン、エチレングリコールエーテル、エチレングリコール、エチレンオキシド、ホルムアルデヒド、ギ酸、グリセロール、ヘプタン、ヘキサン、ヨウ化ベンゼン、メシチレン、メタノール、メトキシベンゼン、メチルアミン、臭化メチレン、塩化メチレン、メチルピリジン、モルホリン、ナフタレン、ニトロベンゼン、ニトロメタン、オクタン、ペンタン、ペンチルアルコール、フェノール、１−プロパノール、２−プロパノール、ピリジン、ピロール、ピロリジン、キノリン、１，１，２，２−テトラクロロエタン、テトラクロロエチレン、テトラヒドロフラン、テトラヒドロピラン、テトラリン、テトラメチルエチレンジアミン、チオフェン、トルエン、１，２，４−トリクロロベンゼン、１，１，１−トリクロエタン、１，１，２−トリクロエタン、トリクロロエチレン、トリエチルアミン、トリエチレングリコールジメチルエーテル、１，３，５−トリメチルベンゼン、ｍ−キシレン、ｏ−キシレン、ｐ−キシレン、１，２−ジクロロベンゼン、１，３−ジクロロベンゼン、１，４−ジクロロベンゼン、１，２−ジクロロエタン、メチルエチルケトン、ジオキサン、又はジメチルスルホキシドを含むものである。
【請求項２０】
固体ナノマテリアルを獲得する方法であって、
請求項１９の溶媒を除去して固体物質を形成する前記除去する工程
を有する方法。
【請求項２１】
再分散されたナノマテリアルを生成する方法であって、
請求項２０の前記固体マテリアルを再分散溶媒と混合して再分散された物質を生成する前記混合する工程
を有する方法。
【請求項２２】
請求項２１の方法において、前記再分散溶媒は、クロロホルム、クロロベンゼン、水、酢酸、アセトン、アセトニトニル、アニリン、ベンゼン、ベンゾニトリル、ベンジルアルコール、ブロモベンゼン、ブロモホルム、１−ブタノール、２−ブタノール、二硫化炭素、四塩化炭素、シクロヘキサン、シクロヘキサノール、デカリン、ジブロモメタン、ジエチレングリコール、ジエチレングリコールエーテル、ジエチルエーテル、ジグリム、ジメトキシメタン、Ｎ，Ｎ−ジメチルホルムアミド、エタノール、エチルアミン、エチルベンゼン、エチレングリコールエーテル、エチレングリコール、エチレンオキシド、ホルムアルデヒド、ギ酸、グリセロール、ヘプタン、ヘキサン、ヨウ化ベンゼン、メシチレン、メタノール、メトキシベンゼン、メチルアミン、臭化メチレン、塩化メチレン、メチルピリジン、モルホリン、ナフタレン、ニトロベンゼン、ニトロメタン、オクタン、ペンタン、ペンチルアルコール、フェノール、１−プロパノール、２−プロパノール、ピリジン、ピロール、ピロリジン、キノリン、１，１，２，２−テトラクロロエタン、テトラクロロエチレン、テトラヒドロフラン、テトラヒドロピラン、テトラリン、テトラメチルエチレンジアミン、チオフェン、トルエン、１，２，４−トリクロロベンゼン、１，１，１−トリクロエタン、１，１，２−トリクロエタン、トリクロロエチレン、トリエチルアミン、トリエチレングリコールジメチルエーテル、１，３，５−トリメチルベンゼン、ｍ−キシレン、ｏ−キシレン、ｐ−キシレン、１，２−ジクロロベンゼン、１，３−ジクロロベンゼン、１，４−ジクロロベンゼン、１，２−ジクロロエタン、メチルエチルケトン、ジオキサン、又はジメチルスルホキシドを含むものである。
【請求項２３】
請求項１の方法により生成された剥離したナノマテリアルの分散物。
【請求項２４】
請求項２１の方法により生成された剥離したナノマテリアルの分散物。
【請求項２５】
請求項２０の方法により生成された固体ナノマテリアル。
【請求項２６】
請求項２３のナノマテリアル有する製造物。
【請求項２７】
請求項２４のナノマテリアルを有する製造物。
【請求項２８】
請求項２５のナノマテリアルを有する製造物。
【請求項２９】
請求項１の方法において、前記ナノマテリアルは事前に超音波処理されていないものである。
【請求項３０】
ポリ（アリーレンエチニレン）ポリマーを合成する方法であって、
Ｐａ、Ｐｂ、又はＰｃから選択されるポリ（アリーレンエチニレン）ポリマーにおいて、
【化２】
2007533797.tif 000002
式中、
ｎは２０〜１９０であり、前記ポリ（アリーレンエチニレン）ポリマーは２０ナノメーター〜２００ナノメーターの長さを有し、
Ｘ１Ｒ１、Ｘ２Ｒ２、Ｙ１Ｒ３、Ｙ２Ｒ４、及びＹ２Ｒ２は電子供与基又は電子求引基のいずれかであり、
前記ポリ（アリーレンエチニレン）がＰａ構造を有し、Ｘ１Ｒ１及びＸ２Ｒ２が電子供与性である場合、Ｙ１Ｒ３及びＹ２Ｒ４は電子求引性であり、Ｘ１Ｒ１及びＸ２Ｒ２が電子求引性である場合、Ｙ１Ｒ３、Ｙ２Ｒ４は電子供与性であり、
前記ポリ（アリーレンエチニレン）がＰｂ構造を有し、Ｘ１Ｒ１及びＸ２Ｒ２が電子供与性である場合、Ｙ１Ｒ３は電子求引性であり、Ｘ１Ｒ１及びＸ２Ｒ２が電子求引性である場合、Ｙ１Ｒ３は、電子供与性であり、
前記ポリ（アリーレンエチニレン）がＰｃ構造を有し、Ｘ１Ｒ１が電子供与性である場合、Ｙ２Ｒ２は電子求引性であり、Ｘ１Ｒ１が電子求引性である場合、Ｙ２Ｒ２は電子供与性であり、
Ｘ１、Ｘ２、Ｙ１、及びＹ２は、独立的に、ＣＯＯ、ＣＯＮＨ、ＣＯＮＨＣＯ、ＣＯＯＣＯ、ＣＯＮＨＣＮＨ、ＣＯＮ、ＣＯＳ、ＣＳ、アルキル、アリール、アリル、Ｎ、ＮＯ、Ｓ、Ｏ、ＳＯ、ＣＮ、ＣＮＮ、ＳＯ２、Ｐ、又はＰＯであり、
Ｒ１〜Ｒ４は、独立的に、アルキル、フェニル、ベンジル、アリール、アリル、又は水素である
前記ポリ（アリーレンエチニレン）ポリマーと、反応物質Ｚとを結合させる工程を有し、
Ｚは電子求引性であるＸ１Ｒ１、Ｘ２Ｒ２、Ｙ１Ｒ３、Ｙ２Ｒ４、及びＹ２Ｒ２のいずいれか１つと結合するものであり、
Ｚは、独立的に、アセタール、酸ハロゲン化物、アクリレート単位、アシルアジド、アルデヒド、無水物、環状アルカン、アレーン、アルケン、アルキン、ハロゲン化アルキル、アリール、ハロゲン化アリール、アミン、アミド、アミノ、アミノ酸、アルコール、抗生物質、アジド、アジリジン、アゾ化合物、カリックスアレーン、炭水化物、炭酸塩、カルボン酸、カルボン酸塩、カルボジイミド、シクロデキストリン、クラウンエーテル、ＣＮ、クリプタンド、デンドリマー、デンドロン、ジアミン、ジアミノピリジン、ジアゾニウム化合物、ＤＮＡ、エポキシ、エステル、エポキシド、フラーレン、グリオキサル、ハロゲン化物、ヒドロキシ、イミド、イミン、イミドエステル、ケトン、ニトリル、イソチオシアナート、イソシアナート、イソニトリル、ケトン、ラクトン、金属錯体の配位子、生体分子錯体の配位子、脂質、マレイミド、メラミン、メタロセン、ＮＨＳエステル、ヌクレオチド、オレフィン、オリゴ糖、ペプチド、フェノール、フタロシアニン、ポルフィリン、ホスフィン、ホスホン酸塩、ポリアミン、ポリイミン、２，２’−ビピリジン、１，１０−フェナントロリン、テルピリジン、ピリダジン、ピリミジン、プリン、ピラジン、１，８−ナフチリジン、かご型シルセスキオキサン（ＰＯＳＳ）、ピラゾレート、イミダゾレート、トリ−ｎ−ブチルドデカヒドロヘキサアザケクレン、ヘキサピリジン、４，４’−ビピリミジン）、ポリプロポキシアルキル、タンパク質、ピリジン、第四級アンモニウム塩、第四級ホスホニウム塩、キノン、ＲＮＡ、シッフ塩基、セレン化合物、セパクレート（ｓｅｐｕｌｃｈｒａｔｅ）、シラン、スチレン１単位、硫化物、スルホン、スルフヒドリル基、塩化スルホニル、スルホン酸、スルホン酸エステル、スルホン酸塩、スルホキシド、硫黄、及びセレン化合物、チオール、又はチオエーテル、チオール酸、チオエステル、チミン、又はそれらの組み合わせである、前記結合させる工程
を有する方法。
【請求項３１】
ポリ（アリーレンエチニレン）を含む組成物であって、以下の構造を有し、
【化３】
2007533797.tif 000003
ここで、
ｎは２０〜１９０であり、前記ポリ（アリーレンエチニレン）ポリマーは２０ナノメーター〜２００ナノメーターの長さを有し、
Ｘ１Ｒ１、Ｘ２Ｒ２、Ｙ１Ｒ３、及びＹ２Ｒ２は、電子供与基又は電子求引基のいずれかであり；
Ｘ１Ｒ１及びＸ２Ｒ２が電子供与性である場合、Ｙ１Ｒ３及びＹ２Ｒ４は電子求引性であり、Ｘ１Ｒ１及びＸ２Ｒ２が電子求引性である場合、Ｙ１Ｒ３及びＹ２Ｒ４は電子供与性であり、
Ｘ１、Ｘ２、Ｙ１、及びＹ２は、独立的に、ＣＯＯ、ＣＯＮＨ、ＣＯＮＨＣＯ、ＣＯＯＣＯ、ＣＯＮＨＣＮＨ、ＣＯＮ、ＣＯＳ、ＣＳ、アルキル、アリール、アリル、Ｎ、ＮＯ、Ｓ、Ｏ、ＳＯ、ＣＮ、ＣＮＮ、ＳＯ２、Ｐ、又はＰＯであり、
Ｒ１〜Ｒ４は、独立的に、アルキル、フェニル、ベンジル、アリール、アリル、又は水素であり、
Ｚ１〜Ｚ４は、独立的に、アセタール、酸ハロゲン化物、アクリレート単位、アシルアジド、アルデヒド、無水物、環状アルカン、アレーン、アルケン、アルキン、ハロゲン化アルキル、アリール、ハロゲン化アリール、アミン、アミド、アミノ、アミノ酸、アルコール、アルコキシ、抗生物質、アジド、アジリジン、アゾ化合物、カリックスアレーン、炭水化物、炭酸塩、カルボン酸、カルボン酸塩、カルボジイミド、シクロデキストリン、クラウンエーテル、ＣＮ、クリプタンド、デンドリマー、デンドロン、ジアミン、ジアミノピリジン、ジアゾニウム化合物、ＤＮＡ、エポキシ、エステル、エポキシド、フラーレン、グリオキサル、ハロゲン化物、ヒドロキシ、イミド、イミン、イミドエステル、ケトン、ニトリル、イソチオシアナート、イソシアナート、イソニトリル、ケトン、ラクトン、金属錯体の配位子、生体分子錯体の配位子、脂質、マレイミド、メタロセン、ＮＨＳエステル、ニトロアルカン、ニトロ化合物、ヌクレオチド、オレフィン、オリゴ糖、ペプチド、フェノール、フタロシアニン、ポルフィリン、ホスフィン、ホスホン酸塩、ポリアミン、ポリエトキシアルキル、ポリイミン（２，２’−ビピリジン、１，１０−フェナントロリン、テルピリジン、ピリダジン、ピリミジン、プリン、ピラジン、１，８−ナフチリジン、かご型シルセスキオキサン（ＰＯＳＳ）、ピラゾレート、イミダゾレート、トリ−ｎ−ブチルドデカヒドロヘキサアザケクレン、ヘキサピリジン、４，４’−ビピリミジン）、ポリプロポキシアルキル、タンパク質、ピリジン、第四級アンモニウム塩、第四級ホスホニウム塩、キノン、ＲＮＡ、シッフ塩基、セレン化合物、セパクレート（ｓｅｐｕｌｃｈｒａｔｅ）、シラン、スチレン１単位、硫化物、スルホン、スルフヒドリル基、塩化スルホニル、スルホン酸、スルホン酸エステル、スルホン酸塩、スルホキシド、硫黄、及びセレン化合物、チオール、又はチオエーテル、チオール酸、チオエステル、チミン、又はそれらの組み合わせである
組成物。
【請求項３２】
請求項３０の方法により製造されたポリ（アリーレンエチニレン）ポリマー。
【請求項３３】
ナノ複合材料であって、
ホストマトリックスと、
前記ホストマトリックス内で分散された請求項２３の剥離されたナノマテリアルと
を有するナノ複合材料。
【請求項３４】
請求項３３のナノ複合材料において、前記ポリ（アリーレンエチニレン）は、ポリ（フェニレンエチニレン）ポリマーである。
【請求項３５】
請求項３３のナノ複合材料において、前記ホストマトリックスは、ｓｂｓゴム、ポリエチレン、ポリジシクロペンタジエン、シリコン、ポリスチレン、ポリカーボネート、エポキシ、又はポリウレタンを含むものである。
【請求項３６】
請求項３３のナノ複合材料において、前記ホストマトリックスは、ポリエステル、ポリアミド、又はポリイミドを含むものである。
【請求項３７】
多機能ナノ複合材料であって、
請求項３３のナノ複合材料と、
連続繊維、不連続繊維、ナノ粒子、ナノ粘土、微粒子、マクロ粒子、又はそれらの組み合わせを有する充填剤と
を有する多機能ナノ複合材料。
【請求項３８】
請求項３７の多機能ナノ複合材料において、前記剥離したナノマテリアルは、第１充填剤である。
【請求項３９】
ナノ複合材料であって、
ホストマトリックスと、
前記ホストマトリックス内で分散した請求項２１の再分散されたナノマテリアルと
を有するナノ複合材料。
【請求項４０】
ナノ複合材料であって、
ホストマトリックスと、
前記ホストマトリックス内で分散した請求項２０の固体の剥離されたナノマテリアルと
を有するナノ複合材料。
【請求項４１】
請求項１記載の方法において、前記剥離したナノマテリアルの分散物は、分散溶媒１ｍＬあたり少なくとも６ｍｇの濃度を有するものである。
【手続補正２】
【補正対象書類名】明細書
【補正対象項目名】００１３
【補正方法】変更
【補正の内容】
【００１３】
さらに、ナノマテリアルを剥離及び分散／可溶化するため硬質ポリマー、その組成物、及びその方法が本明細書において記載される。
この出願の発明に関連する先行技術文献情報としては、以下のものがある（国際出願日以降国際段階で引用された文献及び他国に国内移行した際に引用された文献を含む）。
【特許文献１】米国特許第４，６６３，２３０号明細書
【特許文献２】米国特許第５，０９８，７７１号明細書
【特許文献３】米国特許第５，２０４，０３８号明細書
【特許文献４】米国特許第５，２８１，４０６号明細書
【特許文献５】米国特許第５，４８２，６０１号明細書
【特許文献６】米国特許第５，５６０，８９８号明細書
【特許文献７】米国特許第５，５７８，５４３号明細書
【特許文献８】米国特許第５，６１１，９６４号明細書
【特許文献９】米国特許第５，６２７，１４０号明細書
【特許文献１０】米国特許第５，７５３，０８８号明細書
【特許文献１１】米国特許第５，８２４，４７０号明細書
【特許文献１２】米国特許第５，８６６，４３４号明細書
【特許文献１３】米国特許第５，８７７，１１０号明細書
【特許文献１４】米国特許第５，９６５，４７０号明細書
【特許文献１５】米国特許第５，９６８，６５０号明細書
【特許文献１６】米国特許第６，０１７，３９０号明細書
【特許文献１７】米国特許第６，０６６，４４８号明細書
【特許文献１８】米国特許第６，１１３，８１９号明細書
【特許文献１９】米国特許第６，１４０，０４５号明細書
【特許文献２０】米国特許第６，１４６，２２７号明細書
【特許文献２１】米国特許第６，１４６，２３０号明細書
【特許文献２２】米国特許第６，１８０，１１４号明細書
【特許文献２３】米国特許第６，１８７，８２３号明細書
【特許文献２４】米国特許第６，２０３，８１４号明細書
【特許文献２５】米国特許第６，２７６，２１４号明細書
【特許文献２６】米国特許第６，２８４，８３２号明細書
【特許文献２７】米国特許第６，２９９，８１２号明細書
【特許文献２８】米国特許第６，３１５，９５６号明細書
【特許文献２９】米国特許第６，３３１，２６２号明細書
【特許文献３０】米国特許第６，３６２，０１１号明細書
【特許文献３１】米国特許第６，３６８，５６９号明細書
【特許文献３２】米国特許第６，４１７，２６５号明細書
【特許文献３３】米国特許第６，４２２，４５０号明細書
【特許文献３４】米国特許第６，４２６，１３４号明細書
【特許文献３５】米国特許第６，４３０，５１１号明細書
【特許文献３６】米国特許第６，４３２，３２０号明細書
【特許文献３７】米国特許第６，４６４，９０８号明細書
【特許文献３８】米国特許第６，４９１，７８９号明細書
【特許文献３９】米国特許第６，５２４，４６６号明細書
【特許文献４０】米国特許第６，５３１，５１３号明細書
【特許文献４１】米国特許第６，５５５，９４５号明細書
【特許文献４２】米国特許第６，５６９，９３７号明細書
【特許文献４３】米国特許第６，５７６，３４１号明細書
【特許文献４４】米国特許第６，５９７，０９０号明細書
【特許文献４５】米国特許第６，５９９，９６１号明細書
【特許文献４６】米国特許第６，６１０，３５１号明細書
【特許文献４７】米国特許第６，６１７，３９８号明細書
【特許文献４８】米国特許第６，６３０，７７２号明細書
【特許文献４９】米国特許第６，６３４，３２１号明細書
【特許文献５０】米国特許第６，６４１，７９３号明細書
【特許文献５１】米国特許第６，６４５，４５５号明細書
【特許文献５２】米国特許第６，６５６，７６３号明細書
【特許文献５３】米国特許第６，６６９，９１８号明細書
【特許文献５４】米国特許第６，６７０，１７９号明細書
【特許文献５５】米国特許第６，６８０，０１６号明細書
【特許文献５６】米国特許第６，６８２，６７７号明細書
【特許文献５７】米国特許第６，６８３，７８３号明細書
【特許文献５８】米国特許第６，６８５，８１０号明細書
【特許文献５９】米国特許第６，６９３，０５５号明細書
【特許文献６０】米国特許第６，６９５，９７４号明細書
【特許文献６１】米国特許第６，７０９，５６６号明細書
【特許文献６２】米国特許第６，７１２，８６４号明細書
【特許文献６３】米国特許第６，７２３，２９９号明細書
【特許文献６４】米国特許第６，７３４，０８７号明細書
【特許文献６５】米国特許第６，７３７，９３９号明細書
【特許文献６６】米国特許第６，７４１，０１９号明細書
【特許文献６７】米国特許第６，７４６，６２７号明細書
【特許文献６８】米国特許第６，７４６，９７１号明細書
【特許文献６９】米国特許第６，７４９，７１２号明細書
【特許文献７０】米国特許第６，７５６，０２５号明細書
【特許文献７１】米国特許第６，７５６，７９５号明細書
【特許文献７２】米国特許第６，７５８，８９１号明細書
【特許文献７３】米国特許第６，７６２，０２５号明細書
【特許文献７４】米国特許第６，７６２，２３７号明細書
【特許文献７５】米国特許第６，７６４，５４０号明細書
【特許文献７６】米国特許第６，７７０，５８３号明細書
【特許文献７７】米国特許第６，７７０，９０５号明細書
【特許文献７８】米国特許第６，７７３，９５４号明細書
【特許文献７９】米国特許第６，７７４，３３３号明細書
【特許文献８０】米国特許第６，７８２，１５４号明細書
【特許文献８１】米国特許第６，７８３，７０２号明細書
【特許文献８２】米国特許第６，７８３，７４６号明細書
【特許文献８３】米国特許第６，７９０，４２５号明細書
【特許文献８４】米国特許第６，７９０，７９０号明細書
【特許文献８５】米国特許第６，７９８，１２７号明細書
【特許文献８６】米国特許第６，８０３，８４０号明細書
【特許文献８７】米国特許第６，８０５，６４２号明細書
【特許文献８８】米国特許第６，８０５，８０１号明細書
【特許文献８９】米国特許第６，８０６，９９６号明細書
【特許文献９０】米国特許第６，８１８，８２１号明細書
【特許文献９１】米国特許第６，８２４，９７４号明細書
【特許文献９２】米国特許第６，８２５，０６０号明細書
【特許文献９３】米国特許第６，８２７，９１８号明細書
【特許文献９４】米国特許第６，８３５，３６６号明細書
【特許文献９５】米国特許第６，８４１，１３９号明細書
【特許文献９６】米国特許第６，８４２，３２８号明細書
【特許文献９７】米国特許第６，８４３，８５０号明細書
【特許文献９８】米国特許第６，８５２，４１０号明細書
【特許文献９９】米国特許第６，８６１，４８１号明細書
【特許文献１００】米国特許第６，８６６，８９１号明細書
【特許文献１０１】米国特許第６，８７２，６８１号明細書
【特許文献１０２】米国特許第６，８７５，２７４号明細書
【特許文献１０３】米国特許第６，８７５，４１２号明細書
【特許文献１０４】米国特許第６，８７８，３６１号明細書
【特許文献１０５】米国特許第６，８７８，９６１号明細書
【特許文献１０６】米国特許第６，８９０，６５４号明細書
【特許文献１０７】米国特許第６，８９４，３５９号明細書
【特許文献１０８】米国特許第６，８９６，８６４号明細書
【特許文献１０９】米国特許第６，８９７，００９号明細書
【特許文献１１０】米国特許第６，８９９，９４５号明細書
【特許文献１１１】米国特許第６，９００，２６４号明細書
【特許文献１１２】米国特許第６，９０２，６５８号明細書
【特許文献１１３】米国特許第６，９０２，７２０号明細書
【特許文献１１４】米国特許第６，９０５，６６７号明細書
【特許文献１１５】米国特許第６，９０８，２６１号明細書
【特許文献１１６】米国特許第６，９１４，３７２号明細書
【特許文献１１７】米国特許第６，９２１，４６２号明細書
【特許文献１１８】米国特許第６，９２４，００３号明細書
【特許文献１１９】米国特許第６，９３４，１４４号明細書
【特許文献１２０】米国特許第６，９３６，３２２号明細書
【特許文献１２１】米国特許第６，９３６，６５３号明細書
【特許文献１２２】米国特許第６，９４６，５９７号明細書
【特許文献１２３】米国特許第６，９４９，２１６号明細書
【特許文献１２４】米国特許第６，９５５，９３９号明細書
【特許文献１２５】米国特許第６，９５８，２１６号明細書
【特許文献１２６】米国特許第６，９６０，４２５号明細書
【特許文献１２７】米国特許第６，９６２，０９２号明細書
【特許文献１２８】米国特許第６，９６９，５３６号明細書
【特許文献１２９】米国特許第６，９６９，６９０号明細書
【特許文献１３０】米国特許第６，９７２，４６７号明細書
【特許文献１３１】米国特許第６，９７４，９２７号明細書
【特許文献１３２】米国特許第６，９７９，２４８号明細書
【特許文献１３３】米国特許第６，９７９，７０９号明細書
【特許文献１３４】米国特許第６，９８２，１７４号明細書
【特許文献１３５】米国特許第６，９８９，３２５号明細書
【特許文献１３６】米国特許第６，９９１，５２８号明細書
【特許文献１３７】米国特許第７，００８，５６３号明細書
【特許文献１３８】米国特許第７，００８，７５８号明細書
【特許文献１３９】米国特許第７，０１５，３９３号明細書
【特許文献１４０】米国特許第７，０１８，２６１号明細書
【特許文献１４１】米国特許第７，０２５，８４０号明細書
【特許文献１４２】米国特許第７，０２６，４３２号明細書
【特許文献１４３】米国特許第７，０２９，５９８号明細書
【特許文献１４４】米国特許第７，０２９，６４６号明細書
【特許文献１４５】米国特許第７，０４０，９４８号明細書
【特許文献１４６】米国特許第７，０４５，０８７号明細書
【特許文献１４７】米国特許第７，０４８，９０３号明細書
【特許文献１４８】米国特許第７，０４８，９９９号明細書
【特許文献１４９】米国特許第７，０５２，６６８号明細書
【特許文献１５０】米国特許第７，０５６，４５２号明細書
【特許文献１５１】米国特許第７，０５６，４５５号明細書
【特許文献１５２】米国特許第７，０６０，２４１号明細書
【特許文献１５３】米国特許第７，０６１，７４９号明細書
【特許文献１５４】米国特許第７，０６５，８５７号明細書
【特許文献１５５】米国特許第７，０６６，８００号明細書
【特許文献１５６】米国特許第７，０６７，０９６号明細書
【特許文献１５７】米国特許第７，０７０，７５３号明細書
【特許文献１５８】米国特許第７，０７０，８１０号明細書
【特許文献１５９】米国特許第７，０７０，９２３号明細書
【特許文献１６０】米国特許第７，０７１，２８７号明細書
【特許文献１６１】米国特許第７，０７４，９８０号明細書
【特許文献１６２】米国特許第７，０７５，０６７号明細書
【特許文献１６３】米国特許第７，０８１，４２９号明細書
【特許文献１６４】米国特許第７，０８７，２９０号明細書
【特許文献１６５】米国特許第７，０９３，６６４号明細書
【特許文献１６６】米国特許第７，０９４，３６７号明細書
【特許文献１６７】米国特許第７，０９４，４６７号明細書
【特許文献１６８】米国特許第７，１０５，５９６号明細書
【特許文献１６９】米国特許第７，１１２，８１６号明細書
【特許文献１７０】米国特許第７，１１５，３０５号明細書
【特許文献１７１】米国特許第７，１１６，２７３号明細書
【特許文献１７２】米国特許第７，１１８，８８１号明細書
【特許文献１７３】米国特許第７，１２２，１６５号明細書
【特許文献１７４】米国特許第７，１２２，４６１号明細書
【特許文献１７５】米国特許第７，１２５，５３３号明細書
【特許文献１７６】米国特許第７，１２６，２０７号明細書
【特許文献１７７】米国特許第７，１４８，２６９号明細書
【特許文献１７８】米国特許第７，１５１，６２５号明細書
【特許文献１７９】米国特許第７，１５３，９０３号明細書
【特許文献１８０】米国特許第７，１６０，５３１号明細書
【特許文献１８１】米国特許出願公開第２００１／０００４４７１号明細書
【特許文献１８２】米国特許出願公開第２００１／００１０８０９号明細書
【特許文献１８３】米国特許出願公開第２００１／００１６２８３号明細書
【特許文献１８４】米国特許出願公開第２００１／００１６６０８号明細書
【特許文献１８５】米国特許出願公開第２００１／００１６６０８号明細書
【特許文献１８６】米国特許出願公開第２００１／００３１９００号明細書
【特許文献１８７】米国特許出願公開第２００１／００４１１６０号明細書
【特許文献１８８】米国特許出願公開第２００２／０００４０２８号明細書
【特許文献１８９】米国特許出願公開第２００２／０００４５５６号明細書
【特許文献１９０】米国特許出願公開第２００２／０００８９５６号明細書
【特許文献１９１】米国特許出願公開第２００２／００２５４９０号明細書
【特許文献１９２】米国特許出願公開第２００２／００２８３３７号明細書
【特許文献１９３】米国特許出願公開第２００２／００３４７５７号明細書
【特許文献１９４】米国特許出願公開第２００２／００４６８７２号明細書
【特許文献１９５】米国特許出願公開第２００２／００４８６３２号明細書
【特許文献１９６】米国特許出願公開第２００２／００４９４９５号明細書
【特許文献１９７】米国特許出願公開第２００２／００５３２５７号明細書
【特許文献１９８】米国特許出願公開第２００２／００５３５２２号明細書
【特許文献１９９】米国特許出願公開第２００２／００５４９９５号明細書
【特許文献２００】米国特許出願公開第２００２／００６８１７０号明細書
【特許文献２０１】米国特許出願公開第２００２／００８１３９７号明細書
【特許文献２０２】米国特許出願公開第２００２／００８１４６０号明細書
【特許文献２０３】米国特許出願公開第２００２／００８５９６８号明細書
【特許文献２０４】米国特許出願公開第２００２／００８６１２４号明細書
【特許文献２０５】米国特許出願公開第２００２／００９０３３０号明細書
【特許文献２０６】米国特許出願公開第２００２／００９０３３１号明細書
【特許文献２０７】米国特許出願公開第２００２／００９２６１３号明細書
【特許文献２０８】米国特許出願公開第２００２／００９４３１１号明細書
【特許文献２０９】米国特許出願公開第２００２／００９８１３５号明細書
【特許文献２１０】米国特許出願公開第２００２／０１００５７８号明細書
【特許文献２１１】米国特許出願公開第２００２／０１０２１９４号明細書
【特許文献２１２】米国特許出願公開第２００２／０１０２１９６号明細書
【特許文献２１３】米国特許出願公開第２００２／０１０２６１７号明細書
【特許文献２１４】米国特許出願公開第２００２／０１１０５１３号明細書
【特許文献２１５】米国特許出願公開第２００２／０１１３３３５号明細書
【特許文献２１６】米国特許出願公開第２００２／０１１７６５９号明細書
【特許文献２１７】米国特許出願公開第２００２／０１２２７６５号明細書
【特許文献２１８】米国特許出願公開第２００２／０１２７１６２号明細書
【特許文献２１９】米国特許出願公開第２００２／０１２７１６９号明細書
【特許文献２２０】米国特許出願公開第２００２／０１３６６８１号明細書
【特許文献２２１】米国特許出願公開第２００２／０１３６６８３号明細書
【特許文献２２２】米国特許出願公開第２００２／０１４１９３４号明細書
【特許文献２２３】米国特許出願公開第２００２／０１５０５２４号明細書
【特許文献２２４】米国特許出願公開第２００２／０１５９９４３号明細書
【特許文献２２５】米国特許出願公開第２００２／０１６７３７４号明細書
【特許文献２２６】米国特許出願公開第２００２／０１６７３７５号明細書
【特許文献２２７】米国特許出願公開第２００２／０１７２６３９号明細書
【特許文献２２８】米国特許出願公開第２００２／０１７２９６３号明細書
【特許文献２２９】米国特許出願公開第２００２／０１７６６５０号明細書
【特許文献２３０】米国特許出願公開第２００２／０１８００７７号明細書
【特許文献２３１】米国特許出願公開第２００２／０１８０３０６号明細書
【特許文献２３２】米国特許出願公開第２００２／０１９７４７４号明細書
【特許文献２３３】米国特許出願公開第２００３／０００１１４１号明細書
【特許文献２３４】米国特許出願公開第２００３／０００８１２３号明細書
【特許文献２３５】米国特許出願公開第２００３／００１２７２３号明細書
【特許文献２３６】米国特許出願公開第２００３／００１７９３６号明細書
【特許文献２３７】米国特許出願公開第２００３／００２６７５４号明細書
【特許文献２３８】米国特許出願公開第２００３／００３９６０４号明細書
【特許文献２３９】米国特許出願公開第２００３／００３９８６０号明細書
【特許文献２４０】米国特許出願公開第２００３／００４４６０８号明細書
【特許文献２４１】米国特許出願公開第２００３／００５２００６号明細書
【特許文献２４２】米国特許出願公開第２００３／００６５２０６号明細書
【特許文献２４３】米国特許出願公開第２００３／００６５３５５号明細書
【特許文献２４４】米国特許出願公開第２００３／００６６９５６号明細書
【特許文献２４５】米国特許出願公開第２００３／００７７５１５号明細書
【特許文献２４６】米国特許出願公開第２００３／００８３４２１号明細書
【特許文献２４７】米国特許出願公開第２００３／００８６８５８号明細書
【特許文献２４８】米国特許出願公開第２００３／００８９８９０号明細書
【特許文献２４９】米国特許出願公開第２００３／００８９８９３号明細書
【特許文献２５０】米国特許出願公開第２００３／００９１７５０号明細書
【特許文献２５１】米国特許出願公開第２００３／００９３１０７号明細書
【特許文献２５２】米国特許出願公開第２００３／０１０１９０１号明細書
【特許文献２５３】米国特許出願公開第２００３／０１０２５８５号明細書
【特許文献２５４】米国特許出願公開第２００３／０１０８４７７号明細書
【特許文献２５５】米国特許出願公開第２００３／０１１１３３３号明細書
【特許文献２５６】米国特許出願公開第２００３／０１１１６４６号明細書
【特許文献２５７】米国特許出願公開第２００３／０１１１９４６号明細書
【特許文献２５８】米国特許出願公開第２００３／０１１３７１４号明細書
【特許文献２５９】米国特許出願公開第２００３／０１１６７５７号明細書
【特許文献２６０】米国特許出願公開第２００３／０１１８８１５号明細書
【特許文献２６１】米国特許出願公開第２００３／０１２２１１１号明細書
【特許文献２６２】米国特許出願公開第２００３／０１２９４７１号明細書
【特許文献２６３】米国特許出願公開第２００３／０１３３８６５号明細書
【特許文献２６４】米国特許出願公開第２００３／０１３４７３６号明細書
【特許文献２６５】米国特許出願公開第２００３／０１４２４５６号明細書
【特許文献２６６】米国特許出願公開第２００３／０１４４１８５号明細書
【特許文献２６７】米国特許出願公開第２００３／０１４８０８６号明細書
【特許文献２６８】米国特許出願公開第２００３／０１５１０３０号明細書
【特許文献２６９】米国特許出願公開第２００３／０１５３９６５号明細書
【特許文献２７０】米国特許出願公開第２００３／０１５５１４３号明細書
【特許文献２７１】米国特許出願公開第２００３／０１５８３５１号明細書
【特許文献２７２】米国特許出願公開第２００３／０１６４４７７号明細書
【特許文献２７３】米国特許出願公開第２００３／０１６８７５６号明細書
【特許文献２７４】米国特許出願公開第２００３／０１７０１６６号明細書
【特許文献２７５】米国特許出願公開第２００３／０１７０１６７号明細書
【特許文献２７６】米国特許出願公開第２００３／０１７５８０３号明細書
【特許文献２７７】米国特許出願公開第２００３／０１７８６０７号明細書
【特許文献２７８】米国特許出願公開第２００３／０１８０４９１号明細書
【特許文献２７９】米国特許出願公開第２００３／０１８０５２６号明細書
【特許文献２８０】米国特許出願公開第２００３／０１８１３２８号明細書
【特許文献２８１】米国特許出願公開第２００３／０１８３５６０号明細書
【特許文献２８２】米国特許出願公開第２００３／０１８５７４１号明細書
【特許文献２８３】米国特許出願公開第２００３／０１８５９８５号明細書
【特許文献２８４】米国特許出願公開第２００３／０１８６１６７号明細書
【特許文献２８５】米国特許出願公開第２００３／０２０３１３９号明細書
【特許文献２８６】米国特許出願公開第２００３／０２０５４５７号明細書
【特許文献２８７】米国特許出願公開第２００３／０２０７９８４号明細書
【特許文献２８８】米国特許出願公開第２００３／０２０９４４８号明細書
【特許文献２８９】米国特許出願公開第２００３／０２１１０２８号明細書
【特許文献２９０】米国特許出願公開第２００３／０２１１０２９号明細書
【特許文献２９１】米国特許出願公開第２００３／０２１５８１６号明細書
【特許文献２９２】米国特許出願公開第２００３／０２１６５０２号明細書
【特許文献２９３】米国特許出願公開第２００３／０２１８２２４号明細書
【特許文献２９４】米国特許出願公開第２００３／０２２０５１８号明細書
【特許文献２９５】米国特許出願公開第２００３／０２２７２４３号明細書
【特許文献２９６】米国特許出願公開第２００４／０２２８４６７号明細書
【特許文献２９７】米国特許出願公開第２００４／００００６６１号明細書
【特許文献２９８】米国特許出願公開第２００４／０００７２５８号明細書
【特許文献２９９】米国特許出願公開第２００４／０００９１１４号明細書
【特許文献３００】米国特許出願公開第２００４／００１３５９７号明細書
【特許文献３０１】米国特許出願公開第２００４／００１６９１２号明細書
【特許文献３０２】米国特許出願公開第２００４／００１８１３９号明細書
【特許文献３０３】米国特許出願公開第２００４／００１８３７１号明細書
【特許文献３０４】米国特許出願公開第２００４／００１８４２３号明細書
【特許文献３０５】米国特許出願公開第２００４／００１８５４３号明細書
【特許文献３０６】米国特許出願公開第２００４／００２２６７７号明細書
【特許文献３０７】米国特許出願公開第２００４／００２２７１８号明細書
【特許文献３０８】米国特許出願公開第２００４／００２３６１０号明細書
【特許文献３０９】米国特許出願公開第２００４／００２８５９９号明細書
【特許文献３１０】米国特許出願公開第２００４／００２８８５９号明細書
【特許文献３１１】米国特許出願公開第２００４／００２９２９７号明細書
【特許文献３１２】米国特許出願公開第２００４／００２９７０６号明細書
【特許文献３１３】米国特許出願公開第２００４／００３４１７７号明細書
【特許文献３１４】米国特許出願公開第２００４／００３５３５５号明細書
【特許文献３１５】米国特許出願公開第２００４／００３６０５６号明細書
【特許文献３１６】米国特許出願公開第２００４／００３６１２８号明細書
【特許文献３１７】米国特許出願公開第２００４／００３８００７号明細書
【特許文献３１８】米国特許出願公開第２００４／００３８２５１号明細書
【特許文献３１９】米国特許出願公開第２００４／００４０８３４号明細書
【特許文献３２０】米国特許出願公開第２００４／００４１１５４号明細書
【特許文献３２１】米国特許出願公開第２００４／００４８２４１号明細書
【特許文献３２２】米国特許出願公開第２００４／００５１９３３号明細書
【特許文献３２３】米国特許出願公開第２００４／００５８０５８号明細書
【特許文献３２４】米国特許出願公開第２００４／００５８４５７号明細書
【特許文献３２５】米国特許出願公開第２００４／００６９４５４号明細書
【特許文献３２６】米国特許出願公開第２００４／００７０３２６号明細書
【特許文献３２７】米国特許出願公開第２００４／００７１６２４号明細書
【特許文献３２８】米国特許出願公開第２００４／００７１９４９号明細書
【特許文献３２９】米国特許出願公開第２００４／００７６６８１号明細書
【特許文献３３０】米国特許出願公開第２００４／００８２２４７号明細書
【特許文献３３１】米国特許出願公開第２００４／００８４３５３号明細書
【特許文献３３２】米国特許出願公開第２００４／００９２３２９号明細書
【特許文献３３３】米国特許出願公開第２００４／００９２３３０号明細書
【特許文献３３４】米国特許出願公開第２００４／０１０１６３４号明細書
【特許文献３３５】米国特許出願公開第２００４／０１０２５７７号明細書
【特許文献３３６】米国特許出願公開第２００４／０１０５７２６号明細書
【特許文献３３７】米国特許出願公開第２００４／０１１３１２７号明細書
【特許文献３３８】米国特許出願公開第２００４／０１１５２３２号明細書
【特許文献３３９】米国特許出願公開第２００４／０１１５５０１号明細書
【特許文献３４０】米国特許出願公開第２００４／０１２０１００号明細書
【特許文献３４１】米国特許出願公開第２００４／０１２０８７９号明細書
【特許文献３４２】米国特許出願公開第２００４／０１２１０１８号明細書
【特許文献３４３】米国特許出願公開第２００４／０１２４５０４号明細書
【特許文献３４４】米国特許出願公開第２００４／０１２７６３７号明細書
【特許文献３４５】米国特許出願公開第２００４／０１３１８３５号明細書
【特許文献３４６】米国特許出願公開第２００４／０１３１８５９号明細書
【特許文献３４７】米国特許出願公開第２００４／０１３１９３４号明細書
【特許文献３４８】米国特許出願公開第２００４／０１３２０７２号明細書
【特許文献３４９】米国特許出願公開第２００４／０１３２８４５号明細書
【特許文献３５０】米国特許出願公開第２００４／０１３６８９３号明細書
【特許文献３５１】米国特許出願公開第２００４／０１３６８９４号明細書
【特許文献３５２】米国特許出願公開第２００４／０１３７８３４号明細書
【特許文献３５３】米国特許出願公開第２００４／０１４２１７２号明細書
【特許文献３５４】米国特許出願公開第２００４／０１４２２８５号明細書
【特許文献３５５】米国特許出願公開第２００４／０１４６４５２号明細書
【特許文献３５６】米国特許出願公開第２００４／０１４６８６３号明細書
【特許文献３５７】米国特許出願公開第２００４／０１４９７５９号明細書
【特許文献３５８】米国特許出願公開第２００４／０１６０１５６号明細書
【特許文献３５９】米国特許出願公開第２００４／０１６６１５２号明細書
【特許文献３６０】米国特許出願公開第２００４／０１６７０１４号明細書
【特許文献３６１】米国特許出願公開第２００４／０１６９１５１号明細書
【特許文献３６２】米国特許出願公開第２００４／０１７１７７９号明細書
【特許文献３６３】米国特許出願公開第２００４／０１７７４５１号明細書
【特許文献３６４】米国特許出願公開第２００４／０１７９９８９号明細書
【特許文献３６５】米国特許出願公開第２００４／０１８０２０１号明細書
【特許文献３６６】米国特許出願公開第２００４／０１８０２４４号明細書
【特許文献３６７】米国特許出願公開第２００４／０１８４９８２号明細書
【特許文献３６８】米国特許出願公開第２００４／０１８５３４２号明細書
【特許文献３６９】米国特許出願公開第２００４／０１８６２２０号明細書
【特許文献３７０】米国特許出願公開第２００４／０１９１６９８号明細書
【特許文献３７１】米国特許出願公開第２００４／０１９４９４４号明細書
【特許文献３７２】米国特許出願公開第２００４／０１９７６３８号明細書
【特許文献３７３】米国特許出願公開第２００４／０２０２６０３号明細書
【特許文献３７４】米国特許出願公開第２００４／０２０４９１５号明細書
【特許文献３７５】米国特許出願公開第２００４／０２０６９４１号明細書
【特許文献３７６】米国特許出願公開第２００４／０２０６９４２号明細書
【特許文献３７７】米国特許出願公開第２００４／０２０９７８２号明細書
【特許文献３７８】米国特許出願公開第２００４／０２１１９４２号明細書
【特許文献３７９】米国特許出願公開第２００４／０２１７３３６号明細書
【特許文献３８０】米国特許出願公開第２００４／０２１７５２０号明細書
【特許文献３８１】米国特許出願公開第２００４／０２１９０９３号明細書
【特許文献３８２】米国特許出願公開第２００４／０２１９２２１号明細書
【特許文献３８３】米国特許出願公開第２００４／０２２２０８０号明細書
【特許文献３８４】米国特許出願公開第２００４／０２２２４１３号明細書
【特許文献３８５】米国特許出願公開第２００４／０２２３９００号明細書
【特許文献３８６】米国特許出願公開第２００４／０２３１９７５号明細書
【特許文献３８７】米国特許出願公開第２００４／０２３２０７３号明細書
【特許文献３８８】米国特許出願公開第２００４／０２３２３８９号明細書
【特許文献３８９】米国特許出願公開第２００４／０２４０１４４号明細書
【特許文献３９０】米国特許出願公開第２００４／０２４１０８０号明細書
【特許文献３９１】米国特許出願公開第２００４／０２４１８９６号明細書
【特許文献３９２】米国特許出願公開第２００４／０２４１９００号明細書
【特許文献３９３】米国特許出願公開第２００４／０２４５０８５号明細書
【特許文献３９４】米国特許出願公開第２００４／０２４７８０８号明細書
【特許文献３９５】米国特許出願公開第２００４／０２４８２８２号明細書
【特許文献３９６】米国特許出願公開第２００４／０２５１０４２号明細書
【特許文献３９７】米国特許出願公開第２００４／０２５４２９７号明細書
【特許文献３９８】米国特許出願公開第２００４／０２５７３０７号明細書
【特許文献３９９】米国特許出願公開第２００４／０２５８６０３号明細書
【特許文献４００】米国特許出願公開第２００４／０２６２６３６号明細書
【特許文献４０１】米国特許出願公開第２００４／０２６５２０９号明細書
【特許文献４０２】米国特許出願公開第２００４／０２６５７５５号明細書
【特許文献４０３】米国特許出願公開第２００４／０２６６９３９号明細書
【特許文献４０４】米国特許出願公開第２００５／０００１１００号明細書
【特許文献４０５】米国特許出願公開第２００５／０００１５２８号明細書
【特許文献４０６】米国特許出願公開第２００５／０００２８４９号明細書
【特許文献４０７】米国特許出願公開第２００５／０００２８５１号明細書
【特許文献４０８】米国特許出願公開第２００５／０００６６２３号明細書
【特許文献４０９】米国特許出願公開第２００５／０００６６４３号明細書
【特許文献４１０】米国特許出願公開第２００５／０００７６８０号明細書
【特許文献４１１】米国特許出願公開第２００５／０００８９１９号明細書
【特許文献４１２】米国特許出願公開第２００５／００１９７９１号明細書
【特許文献４１３】米国特許出願公開第２００５／００２２７２６号明細書
【特許文献４１４】米国特許出願公開第２００５／００２５６９４号明細書
【特許文献４１５】米国特許出願公開第２００５／００２６１６３号明細書
【特許文献４１６】米国特許出願公開第２００５／００２９４９８号明細書
【特許文献４１７】米国特許出願公開第２００５／００３１５２５号明細書
【特許文献４１８】米国特許出願公開第２００５／００３１５２６号明細書
【特許文献４１９】米国特許出願公開第２００５／００３５３３４号明細書
【特許文献４２０】米国特許出願公開第２００５／００３８１７１号明細書
【特許文献４２１】米国特許出願公開第２００５／００３８２０３号明細書
【特許文献４２２】米国特許出願公開第２００５／００３８２２５号明細書
【特許文献４２３】米国特許出願公開第２００５／００４０３７０号明細書
【特許文献４２４】米国特許出願公開第２００５／００４０３７１号明細書
【特許文献４２５】米国特許出願公開第２００５／００４２４５０号明細書
【特許文献４２６】米国特許出願公開第２００５／００４３５０３号明細書
【特許文献４２７】米国特許出願公開第２００５／００４５０３０号明細書
【特許文献４２８】米国特許出願公開第２００５／００４５４７７号明細書
【特許文献４２９】米国特許出願公開第２００５／００４５８７７号明細書
【特許文献４３０】米国特許出願公開第２００５／００４８６９７号明細書
【特許文献４３１】米国特許出願公開第２００５／００５３８２６号明細書
【特許文献４３２】米国特許出願公開第２００５／００６１４５１号明細書
【特許文献４３３】米国特許出願公開第２００５／００６２０３４号明細書
【特許文献４３４】米国特許出願公開第２００５／００６４６４７号明細書
【特許文献４３５】米国特許出願公開第２００５／００６５２２９号明細書
【特許文献４３６】米国特許出願公開第２００５／００６９６６９号明細書
【特許文献４３７】米国特許出願公開第２００５／００６９７０１号明細書
【特許文献４３８】米国特許出願公開第２００５／００７０６５４号明細書
【特許文献４３９】米国特許出願公開第２００５／００７４３９０号明細書
【特許文献４４０】米国特許出願公開第２００５／００７４５６５号明細書
【特許文献４４１】米国特許出願公開第２００５／００７４６１３号明細書
【特許文献４４２】米国特許出願公開第２００５／００７９３８６号明細書
【特許文献４４３】米国特許出願公開第２００５／００８１６２５号明細書
【特許文献４４４】米国特許出願公開第２００５／００８３６３５号明細書
【特許文献４４５】米国特許出願公開第２００５／００８７７２６号明細書
【特許文献４４６】米国特許出願公開第２００５／００８９６７７号明細書
【特許文献４４７】米国特許出願公開第２００５／００８９６８４号明細書
【特許文献４４８】米国特許出願公開第２００５／００９００１５号明細書
【特許文献４４９】米国特許出願公開第２００５／００９０３８８号明細書
【特許文献４５０】米国特許出願公開第２００５／００９３４２５号明細書
【特許文献４５１】米国特許出願公開第２００５／００９５１９１号明細書
【特許文献４５２】米国特許出願公開第２００５／００９８２０４号明細書
【特許文献４５３】米国特許出願公開第２００５／００９８２０５号明細書
【特許文献４５４】米国特許出願公開第２００５／００９８４３７号明細書
【特許文献４５５】米国特許出願公開第２００５／０１００４９９号明細書
【特許文献４５６】米国特許出願公開第２００５／０１００５０１号明細書
【特許文献４５７】米国特許出願公開第２００５／０１００９６０号明細書
【特許文献４５８】米国特許出願公開第２００５／０１０３０９７号明細書
【特許文献４５９】米国特許出願公開第２００５／０１０７１８２号明細書
【特許文献４６０】米国特許出願公開第２００５／０１１２０５２号明細書
【特許文献４６１】米国特許出願公開第２００５／０１１２４５１号明細書
【特許文献４６２】米国特許出願公開第２００５／０１１３６６９号明細書
【特許文献４６３】米国特許出願公開第２００５／０１１３６７６号明細書
【特許文献４６４】米国特許出願公開第２００５／０１１３８７４号明細書
【特許文献４６５】米国特許出願公開第２００５／０１１３８７６号明細書
【特許文献４６６】米国特許出願公開第２００５／０１１６２１４号明細書
【特許文献４６７】米国特許出願公開第２００５／０１１６３３６号明細書
【特許文献４６８】米国特許出願公開第２００５／０１１８３７２号明細書
【特許文献４６９】米国特許出願公開第２００５／０１１８４０３号明細書
【特許文献４７０】米国特許出願公開第２００５／０１２１０６８号明細書
【特許文献４７１】米国特許出願公開第２００５／０１２４０２０号明細書
【特許文献４７２】米国特許出願公開第２００５／０１２４５３５号明細書
【特許文献４７３】米国特許出願公開第２００５／０１２７０３０号明細書
【特許文献４７４】米国特許出願公開第２００５／０１２９５７３号明細書
【特許文献４７５】米国特許出願公開第２００５／０１２９８５８号明細書
【特許文献４７６】米国特許出願公開第２００５／０１３０２５８号明細書
【特許文献４７７】米国特許出願公開第２００５／０１３０２９６号明細書
【特許文献４７８】米国特許出願公開第２００５／０１３１１６３号明細書
【特許文献４７９】米国特許出願公開第２００５／０１３３３６３号明細書
【特許文献４８０】米国特許出願公開第２００５／０１３３３７２号明細書
【特許文献４８１】米国特許出願公開第２００５／０１４３５０８号明細書
【特許文献４８２】米国特許出願公開第２００５／０１４７３７３号明細書
【特許文献４８３】米国特許出願公開第２００５／０１４７５５３号明細書
【特許文献４８４】米国特許出願公開第２００５／０１４８９８４号明細書
【特許文献４８５】米国特許出願公開第２００５／０１５４１１６号明細書
【特許文献４８６】米国特許出願公開第２００５／０１５５２１６号明細書
【特許文献４８７】米国特許出願公開第２００５／０１５８３９０号明細書
【特許文献４８８】米国特許出願公開第２００５／０１５８６１２号明細書
【特許文献４８９】米国特許出願公開第２００５／０１５９５２４号明細書
【特許文献４９０】米国特許出願公開第２００５／０１６０７９８号明細書
【特許文献４９１】米国特許出願公開第２００５／０１６１２１２号明細書
【特許文献４９２】米国特許出願公開第２００５／０１６２６０６号明細書
【特許文献４９３】米国特許出願公開第２００５／０１６５１５５号明細書
【特許文献４９４】米国特許出願公開第２００５／０１６９７９８号明細書
【特許文献４９５】米国特許出願公開第２００５／０１６９８３０号明細書
【特許文献４９６】米国特許出願公開第２００５／０１６９８３１号明細書
【特許文献４９７】米国特許出願公開第２００５／０１７０１２１号明細書
【特許文献４９８】米国特許出願公開第２００５／０１７０１６９号明細書
【特許文献４９９】米国特許出願公開第２００５／０１７９５９４号明細書
【特許文献５００】米国特許出願公開第２００５／０１８１２０９号明細書
【特許文献５０１】米国特許出願公開第２００５／０１８４２９４号明細書
【特許文献５０２】米国特許出願公開第２００５／０１８６３３３号明細書
【特許文献５０３】米国特許出願公開第２００５／０１８６３７８号明細書
【特許文献５０４】米国特許出願公開第２００５／０１８６５６５号明細書
【特許文献５０５】米国特許出願公開第２００５／０１９１４９０号明細書
【特許文献５０６】米国特許出願公開第２００５／０１９４０３６号明細書
【特許文献５０７】米国特許出願公開第２００５／０１９４０３８号明細書
【特許文献５０８】米国特許出願公開第２００５／０１９５３５４号明細書
【特許文献５０９】米国特許出願公開第２００５／０２０３２０３号明細書
【特許文献５１０】米国特許出願公開第２００５／０２０５２６５号明細書
【特許文献５１１】米国特許出願公開第２００５／０２０５８６０号明細書
【特許文献５１２】米国特許出願公開第２００５／０２０７９６３号明細書
【特許文献５１３】米国特許出願公開第２００５／０２０８３２８号明細書
【特許文献５１４】米国特許出願公開第２００５／０２０９３８８号明細書
【特許文献５１５】米国特許出願公開第２００５／０２１１２９４号明細書
【特許文献５１６】米国特許出願公開第２００５／０２１２３９５号明細書
【特許文献５１７】米国特許出願公開第２００５／０２１４１９６号明細書
【特許文献５１８】米国特許出願公開第２００５／０２１４１９７号明細書
【特許文献５１９】米国特許出願公開第２００５／０２１４１９８号明細書
【特許文献５２０】米国特許出願公開第２００５／０２１４５３５号明細書
【特許文献５２１】米国特許出願公開第２００５／０２１５７１８号明細書
【特許文献５２２】米国特許出願公開第２００５／０２１８０４５号明細書
【特許文献５２３】米国特許出願公開第２００５／０２２１０３８号明細書
【特許文献５２４】米国特許出願公開第２００５／０２２１４７３号明細書
【特許文献５２５】米国特許出願公開第２００５／０２２２３３３号明細書
【特許文献５２６】米国特許出願公開第２００５／０２２４７６５号明細書
【特許文献５２７】米国特許出願公開第２００５／０２２４７８８号明細書
【特許文献５２８】米国特許出願公開第２００５／０２２６７７８号明細書
【特許文献５２９】米国特許出願公開第２００５／０２２８１１０号明細書
【特許文献５３０】米国特許出願公開第２００５／０２２８１４０号明細書
【特許文献５３１】米国特許出願公開第２００５／０２２９３３４号明細書
【特許文献５３２】米国特許出願公開第２００５／０２２９３３５号明細書
【特許文献５３３】米国特許出願公開第２００５／０２３０２７０号明細書
【特許文献５３４】米国特許出願公開第２００５／０２３３１５８号明細書
【特許文献５３５】米国特許出願公開第２００５／０２３４２６３号明細書
【特許文献５３６】米国特許出願公開第２００５／０２３８８１０号明細書
【特許文献５３７】米国特許出願公開第２００５／０２３９９４８号明細書
【特許文献５３８】米国特許出願公開第２００５／０２４２０８９号明細書
【特許文献５３９】米国特許出願公開第２００５／０２４２３４４号明細書
【特許文献５４０】米国特許出願公開第２００５／０２４４３２６号明細書
【特許文献５４１】米国特許出願公開第２００５／０２４４９９１号明細書
【特許文献５４２】米国特許出願公開第２００５／０２４５６６７号明細書
【特許文献５４３】米国特許出願公開第２００５／０２４５６９０号明細書
【特許文献５４４】米国特許出願公開第２００５／０２４７２３７号明細書
【特許文献５４５】米国特許出願公開第２００５／０２５０２４４号明細書
【特許文献５４６】米国特許出願公開第２００５／０２５４７６０号明細書
【特許文献５４７】米国特許出願公開第２００５／０２５５０３０号明細書
【特許文献５４８】米国特許出願公開第２００５／０２５５３１２号明細書
【特許文献５４９】米国特許出願公開第２００５／０２５７９４６号明細書
【特許文献５５０】米国特許出願公開第２００５／０２６１６７０号明細書
【特許文献５５１】米国特許出願公開第２００５／０２６２６７４号明細書
【特許文献５５２】米国特許出願公開第２００５／０２６３４５６号明細書
【特許文献５５３】米国特許出願公開第２００５／０２６６６０５号明細書
【特許文献５５４】米国特許出願公開第２００５／０２７１６４８号明細書
【特許文献５５５】米国特許出願公開第２００５／０２７１８２９号明細書
【特許文献５５６】米国特許出願公開第２００５／０２７２１４３号明細書
【特許文献５５７】米国特許出願公開第２００５／０２７２８５６号明細書
【特許文献５５８】米国特許出願公開第２００５／０２７６７４３号明細書
【特許文献５５９】米国特許出願公開第２００５／０２７７１６０号明細書
【特許文献５６０】米国特許出願公開第２００５／０２７７２０１号明細書
【特許文献５６１】米国特許出願公開第２００５／０２７７６７５号明細書
【特許文献５６２】米国特許出願公開第２００５／０２７９４７８号明細書
【特許文献５６３】米国特許出願公開第２００５／０２８４３３７号明細書
【特許文献５６４】米国特許出願公開第２００５／０２８７３７１号明細書
【特許文献５６５】米国特許出願公開第２００５／０２８７４１４号明細書
【特許文献５６６】米国特許出願公開第２００６／０００１０１３号明細書
【特許文献５６７】米国特許出願公開第２００６／０００２８４１号明細書
【特許文献５６８】米国特許出願公開第２００６／０００３２０３号明細書
【特許文献５６９】米国特許出願公開第２００６／０００３４０１号明細書
【特許文献５７０】米国特許出願公開第２００６／００１４０６８号明細書
【特許文献５７１】米国特許出願公開第２００６／００１４１５５号明細書
【特許文献５７２】米国特許出願公開第２００６／００１４３７５号明細書
【特許文献５７３】米国特許出願公開第２００６／００１６５５２号明細書
【特許文献５７４】米国特許出願公開第２００６／００１９０９３号明細書
【特許文献５７５】米国特許出願公開第２００６／００２４５０３号明細書
【特許文献５７６】米国特許出願公開第２００６／００２５５１５号明細書
【特許文献５７７】米国特許出願公開第２００６／００２７４９９号明細書
【特許文献５７８】米国特許出願公開第２００６／００２９５３７号明細書
【特許文献５７９】米国特許出願公開第２００６／００３２７０２号明細書
【特許文献５８０】米国特許出願公開第２００６／００３３２２６号明細書
【特許文献５８１】米国特許出願公開第２００６／００３６０１８号明細書
【特許文献５８２】米国特許出願公開第２００６／００３６０４５号明細書
【特許文献５８３】米国特許出願公開第２００６／００３９８４８号明細書
【特許文献５８４】米国特許出願公開第２００６／００４０３８１号明細書
【特許文献５８５】米国特許出願公開第２００６／００４１０５０号明細書
【特許文献５８６】米国特許出願公開第２００６／００４１１０４号明細書
【特許文献５８７】米国特許出願公開第２００６／００４５８３８号明細書
【特許文献５８８】米国特許出願公開第２００６／００４７０５２号明細書
【特許文献５８９】米国特許出願公開第２００６／００５１５７９号明細書
【特許文献５９０】米国特許出願公開第２００６／００５２５０９号明細書
【特許文献５９１】米国特許出願公開第２００６／００５４４８８号明細書
【特許文献５９２】米国特許出願公開第２００６／００５４５５５号明細書
【特許文献５９３】米国特許出願公開第２００６／００５４８６６号明細書
【特許文献５９４】米国特許出願公開第２００６／００５７０１６号明細書
【特許文献５９５】米国特許出願公開第２００６／００５７０５３号明細書
【特許文献５９６】米国特許出願公開第２００６／００５７０５５号明細書
【特許文献５９７】米国特許出願公開第２００６／００５７２９０号明細書
【特許文献５９８】米国特許出願公開第２００６／００５７３６１号明細書
【特許文献５９９】米国特許出願公開第２００６／００５８４４３号明細書
【特許文献６００】米国特許出願公開第２００６／００６２７１４号明細書
【特許文献６０１】米国特許出願公開第２００６／００６２７１８号明細書
【特許文献６０２】米国特許出願公開第２００６／００６２９２４号明細書
【特許文献６０３】米国特許出願公開第２００６／００６２９３０号明細書
【特許文献６０４】米国特許出願公開第２００６／００６２９８５号明細書
【特許文献６０５】米国特許出願公開第２００６／００６５５４６号明細書
【特許文献６０６】米国特許出願公開第２００６／００６５８８７号明細書
【特許文献６０７】米国特許出願公開第２００６／００６７９３９号明細書
【特許文献６０８】米国特許出願公開第２００６／００６７９４１号明細書
【特許文献６０９】米国特許出願公開第２００６／００６９１９９号明細書
【特許文献６１０】米国特許出願公開第２００６／００７３０８９号明細書
【特許文献６１１】米国特許出願公開第２００６／００８１７７５号明細書
【特許文献６１２】米国特許出願公開第２００６／００８１８８２号明細書
【特許文献６１３】米国特許出願公開第２００６／００８４７４２号明細書
【特許文献６１４】米国特許出願公開第２００６／００８４７５２号明細書
【特許文献６１５】米国特許出願公開第２００６／００９４３０９号明細書
【特許文献６１６】米国特許出願公開第２００６／００９８３８９号明細書
【特許文献６１７】米国特許出願公開第２００６／００９９１３５号明細書
【特許文献６１８】米国特許出願公開第２００６／００９９７１５号明細書
【特許文献６１９】米国特許出願公開第２００６／０１０３６４１号明細書
【特許文献６２０】米国特許出願公開第２００６／０１０４８８６号明細書
【特許文献６２１】米国特許出願公開第２００６／０１０４８９０号明細書
【特許文献６２２】米国特許出願公開第２００６／０１１０５３７号明細書
【特許文献６２３】米国特許出願公開第２００６／０１１５６４０号明細書
【特許文献６２４】米国特許出願公開第２００６／０１１５７１１号明細書
【特許文献６２５】米国特許出願公開第２００６／０１１６２８４号明細書
【特許文献６２６】米国特許出願公開第２００６／０１２１２７５号明細書
【特許文献６２７】米国特許出願公開第２００６／０１２２２８４号明細書
【特許文献６２８】米国特許出願公開第２００６／０１２２６１４号明細書
【特許文献６２９】米国特許出願公開第２００６／０１２４０２８号明細書
【特許文献６３０】米国特許出願公開第２００６／０１２４６１３号明細書
【特許文献６３１】米国特許出願公開第２００６／０１２６１７５号明細書
【特許文献６３２】米国特許出願公開第２００６／０１２７４７０号明細書
【特許文献６３３】米国特許出願公開第２００６／０１３１４４０号明細書
【特許文献６３４】米国特許出願公開第２００６／０１３１５７０号明細書
【特許文献６３５】米国特許出願公開第２００６／０１３５０３０号明細書
【特許文献６３６】米国特許出願公開第２００６／０１３５２８１号明細書
【特許文献６３７】米国特許出願公開第２００６／０１３５２８２号明細書
【特許文献６３８】米国特許出願公開第２００６／０１３５６７７号明細書
【特許文献６３９】米国特許出願公開第２００６／０１３７８１７号明細書
【特許文献６４０】米国特許出願公開第２００６／０１４０８４７号明細書
【特許文献６４１】米国特許出願公開第２００６／０１４２１４８号明細書
【特許文献６４２】米国特許出願公開第２００６／０１４２１４９号明細書
【特許文献６４３】米国特許出願公開第２００６／０１４２４６６号明細書
【特許文献６４４】米国特許出願公開第２００６／０１４５１９４号明細書
【特許文献６４５】米国特許出願公開第２００６／０１４８６４２号明細書
【特許文献６４６】米国特許出願公開第２００６／０１５１８４４号明細書
【特許文献６４７】米国特許出願公開第２００６／０１５４１９５号明細書
【特許文献６４８】米国特許出願公開第２００６／０１５４４８９号明細書
【特許文献６４９】米国特許出願公開第２００６／０１５９６１２号明細書
【特許文献６５０】米国特許出願公開第２００６／０１５９９２１号明細書
【特許文献６５１】米国特許出願公開第２００６／０１６２８１８号明細書
【特許文献６５２】米国特許出願公開第２００６／０１６５５８６号明細書
【特許文献６５３】米国特許出願公開第２００６／０１６５８９６号明細書
【特許文献６５４】米国特許出願公開第２００６／０１６６００３号明細書
【特許文献６５５】米国特許出願公開第２００６／０１６７１３９号明細書
【特許文献６５６】米国特許出願公開第２００６／０１６７１４７号明細書
【特許文献６５７】米国特許出願公開第２００６／０１７１８７４号明細書
【特許文献６５８】米国特許出願公開第２００６／０１７２１７９号明細書
【特許文献６５９】米国特許出願公開第２００６／０１７４７８９号明細書
【特許文献６６０】米国特許出願公開第２００６／０１７５５８１号明細書
【特許文献６６１】米国特許出願公開第２００６／０１７７９４６号明細書
【特許文献６６２】米国特許出願公開第２００６／０１８０７５５号明細書
【特許文献６６３】米国特許出願公開第２００６／０１８５７１４号明細書
【特許文献６６４】米国特許出願公開第２００６／０１８８７２３号明細書
【特許文献６６５】米国特許出願公開第２００６／０１８８７７４号明細書
【特許文献６６６】米国特許出願公開第２００６／０１８９４１２号明細書
【特許文献６６７】米国特許出願公開第２００６／０１９２４７５号明細書
【特許文献６６８】米国特許出願公開第２００６／０１９３０２６号明細書
【特許文献６６９】米国特許出願公開第２００６／０１９３８６８号明細書
【特許文献６７０】米国特許出願公開第２００６／０１９４０５８号明細書
【特許文献６７１】米国特許出願公開第２００６／０１９９７７０号明細書
【特許文献６７２】米国特許出願公開第２００６／０２０１８８０号明細書
【特許文献６７３】米国特許出願公開第２００６／０２０２１６８号明細書
【特許文献６７４】米国特許出願公開第２００６／０２０５８７２号明細書
【特許文献６７５】米国特許出願公開第２００６／０２０７７８５号明細書
【特許文献６７６】米国特許出願公開第２００６／０２１０４６６号明細書
【特許文献６７７】米国特許出願公開第２００６／０２１１２３６号明細書
【特許文献６７８】米国特許出願公開第２００６／０２１１８０７号明細書
【特許文献６７９】米国特許出願公開第２００６／０２１４２６２号明細書
【特許文献６８０】米国特許出願公開第２００６／０２１９６８９号明細書
【特許文献６８１】米国特許出願公開第２００６／０２２３９９１号明細書
【特許文献６８２】米国特許出願公開第２００６／０２２８４９７号明細書
【特許文献６８３】米国特許出願公開第２００６／０２３１３９９号明細書
【特許文献６８４】米国特許出願公開第２００６／０２３３６９２号明細書
【特許文献６８５】米国特許出願公開第２００６／０２３５１１３号明細書
【特許文献６８６】米国特許出願公開第２００６／０２３７２１７号明細書
【特許文献６８７】米国特許出願公開第２００６／０２３７２１８号明細書
【特許文献６８８】米国特許出願公開第２００６／０２３７２１９号明細書
【特許文献６８９】米国特許出願公開第２００６／０２３７２２１号明細書
【特許文献６９０】米国特許出願公開第２００６／０２３７６９３号明細書
【特許文献６９１】米国特許出願公開第２００６／０２３７７０８号明細書
【特許文献６９２】米国特許出願公開第２００６／０２４０３０５号明細書
【特許文献６９３】米国特許出願公開第２００６／０２４９０２０号明細書
【特許文献６９４】米国特許出願公開第２００６／０２４９７１１号明細書
【特許文献６９５】米国特許出願公開第２００６／０２５１５６８号明細書
【特許文献６９６】米国特許出願公開第２００６／０２５２８５３号明細書
【特許文献６９７】米国特許出願公開第２００６／０２５７５５６号明細書
【特許文献６９８】米国特許出願公開第２００６／０２５７６４５号明細書
【特許文献６９９】米国特許出願公開第２００６／０２７０７７７号明細書
【特許文献７００】米国特許出願公開第２００６／０２７０７９０号明細書
【特許文献７０１】米国特許出願公開第２００６／０２７４０４９号明細書
【特許文献７０２】米国特許出願公開第２００６／０２７５３７１号明細書
【特許文献７０３】米国特許出願公開第２００６／０２７５５９６号明細書
【特許文献７０４】米国特許出願公開第２００６／０２７５９５６号明細書
【特許文献７０５】米国特許出願公開第２００６／０２７６０５６号明細書
【特許文献７０６】米国特許出願公開第２００６／０２７８４４４号明細書
【特許文献７０７】米国特許出願公開第２００６／０２８６０２３号明細書
【特許文献７０８】米国特許出願公開第２００６／０２８６２９７号明細書
【特許文献７０９】米国特許出願公開第２００６／０２９１１４２号明細書
【特許文献７１０】米国特許出願公開第２００６／０２９２２９７号明細書
【特許文献７１１】米国特許出願公開第２００６／０２９３４３４号明細書
【特許文献７１２】米国特許出願公開第２００７／０００３４７１号明細書
【特許文献７１３】米国特許出願公開第２００７／０００４８５７号明細書
【特許文献７１４】米国特許出願公開第２００７／０００９３７９号明細書
【特許文献７１５】米国特許出願公開第２００７／０２６５３７９号明細書
【特許文献７１６】独国特許発明第３１１８５０３号明細書
【特許文献７１７】欧州特許出願公開第０９４９１９９号明細書
【特許文献７１８】国際公開第９９／０５７２２２号パンフレット
【特許文献７１９】国際公開第００／０４４０９４号パンフレット
【特許文献７２０】国際公開第０１／０３０６９４号パンフレット
【特許文献７２１】国際公開第０１／０５７９１７号パンフレット
【特許文献７２２】国際公開第０２／０１６２５７号パンフレット
【特許文献７２３】国際公開第０２／０６０８１２号パンフレット
【特許文献７２４】国際公開第０２／０７６８８８号パンフレット
【特許文献７２５】国際公開第０２／０８８０２５号パンフレット
【特許文献７２６】国際公開第０２／０９５０９９号パンフレット
【特許文献７２７】特開２００３−０９６３１３号公報
【特許文献７２８】特開２００３−１３８０４０号公報
【特許文献７２９】特開２００３−２９２８０１号公報
【特許文献７３０】欧州特許第１３５９１２１号明細書
【特許文献７３１】欧州特許第１３５９１６９号明細書
【特許文献７３２】特開２００４−００２８４９号公報
【特許文献７３３】特開２００４−００２８５０号公報
【特許文献７３４】国際公開第０４−６０９８８号パンフレット
【特許文献７３５】欧州特許第１４４９８８７号明細書
【非特許文献１】Ａｊａｙａｎ，Ｐ．ｅｔ  ａｌ．，「Ｓｉｎｇｌｅ−Ｗａｌｌｅｄ  Ｃａｒｂｏｎ  Ｎａｎｏｔｕｂｅ−Ｐｏｌｙｍｅｒ  Ｃｏｍｐｏｓｉｔｅｓ：  Ｓｔｒｅｎｇｔｈ  ａｎｄ  Ｗｅａｋｎｅｓｓ」，Ｗｉｌｅｙ−ＶＣＨ  Ｖｅｒｌａｇ  ＧｍｂＨ，Ａｄｖ．Ｍａｔｅｒ．，２０００年，第１２巻，第１０号，ｐ．７５０−７５３
【非特許文献２】Ａｊａｙａｎ，Ｐ．Ｍ．，「Ｎａｎｏｔｕｂｅｓ  ｆｒｏｍ  Ｃａｒｂｏｎ」，Ａｍｅｒｉｃａｎ  Ｃｈｅｍｉｃａｌ  Ｓｏｃｉｅｔｙ，Ｃｈｅｍ．Ｒｅｖ，１９９９年，第９９巻，ｐ．１７８４−１７９９
【非特許文献３】Ａｎｄｒｅｗｓ  ｅｔ  ａｌ．，「Ｆａｂｒｉｃａｔｉｉｏｎ  ｏｆ  Ｃａｒｂｏｎ  Ｍｕｌｔｉｗａｌｌ  Ｎａｎｏｔｕｂｅ／Ｐｏｌｙｍｅｒ  Ｃｏｍｐｏｓｉｔｅｓ  ｂｙ  Ｓｈｅａｒ  Ｍｉｘｉｎｇ」，Ｗｉｌｅｙ−ＶＣＨ  Ｖｅｒｌａｇ  ＧｍｂＨ，Ｍａｃｒｏｍｏｌｅｃｕｌａｒ  Ｍａｔｅｒｉａｌｓ  ａｎｄ  Ｅｎｊｉｎｅｅｒｉｎｇ，２００２年，第２８７巻，第６号，ｐ．３９５−４０３
【非特許文献４】Ａｎｄｒｅｗｓ，Ｒ．ｅｔ  ａｌ．，「Ｎａｎｏｔｕｂｅ  Ｃｏｍｐｏｓｉｔｅ  Ｃａｒｂｏｎ  Ｆｉｂｅｒｓ」，Ａｍｅｒｉｃａｎ  Ｉｎｓｔｉｔｕｔｅ  ｏｆ  Ｐｈｙｓｉｃｓ，Ａｐｐｌ．Ｐｈｙｓ．Ｌｅｔｔ，１９９９年，第７５巻，第９号，ｐ．１３２９−１３３１
【非特許文献５】Ａｕｓｍａｎ  ｅｔ  ａｌ．，「Ｏｒｇａｎｉｃ  Ｓｏｌｖｅｎｔ  Ｄｉｓｐｅｒｓｉｏｎｓ  ｏｆ  Ｓｉｎｇｌｅ−Ｗａｌｌｅｄ  Ｃａｒｂｏｎ  Ｎａｎｏｔｕｂｅｓ：  Ｔｏｗａｒｄ  Ｓｏｌｕｔｉｏｎｓ  ｏｆ  Ｐｒｉｓｔｉｎｅ  Ｎａｎｏｔｕｂｅｓ」，Ｐｈｙｓ．Ｃｈａｍ．Ｂ，２０００年，１０４巻，ｐ．８９１１−８９１５．
【非特許文献６】Ｂａｃｈｔｏｌｄ  ｅｔ  ａｌ．，「Ｌｏｇｉｃ  Ｃｉｒｃｕｉｔｓ  ｗｉｔｈ  Ｃａｒｂｏｎ  Ｎａｎｏｔｕｂｅ  Ｔｒａｎｓｉｓｔｏｒｓ」，Ｓｃｉｅｎｃｅ，２００１年，２９４巻，ｐ．１３１７−１３２０
【非特許文献７】Ｂａｈｒ  ｅｔ  ａｌ．，「Ｆｕｎｃｔｉｏｎａｌｉｚａｔｉｏｎ  ｏｆ  Ｃａｒｂｏｎ  Ｎａｎｏｔｕｂｅｓ  ｂｙ  Ｅｌｅｃｔｒｏｃｈｅｍｉｃａｌ  Ｒｅｄｕｃｔｉｏｎ  ｏｆ  Ａｒｙｌ  Ｄｉａｚｏｎｉｕｍ  Ｓａｌｔｓ：  Ａ  Ｂｕｃｋｙ  Ｐａｐｅｒ  Ｅｌｅｃｔｒｏｄｅ」，Ｊ．Ａｍ．Ｃｈｅｍ．Ｓｏｃ．２００１年，１２３巻,ｐ．６５３６−６５４２
【非特許文献８】Ｂａｈｒ，ｊ．ｅｔ  ａｌ．，「Ｄｉｓｓｏｌｕｔｉｏｎ  ｏｆ  Ｓｍａｌｌ  Ｄｉａｍｅｔｅｒ  Ｓｉｎｇｌｅ−Ｗａｌｌ  Ｃａｒｂｏｎ  Ｎａｎｏｔｕｂｅｓ  ｉｎ  Ｏｒｇａｎｉｃ  Ｓａｌｖｅｎｔｓ？」，Ｔｈｅ  ｒｏｙａｌ  ｓｏｃｉｅｔｙ  ｏｆ  ｃｈｅｍｉｓｔｒｙ，Ｃｈｅｍ．Ｃｏｍｍｕｎ，２００１年，ｐ．１９３−１９４
【非特許文献９】Ｂａｎｈａｒｔ，「（Ｔｈｅ  Ｆｏｒｍａｔｉｏｎ  ｏｆ  ａ  Ｃｏｎｎｅｃｔｉｏｎ  Ｂｅｔｗｅｅｎ  Ｃａｒｂｏｎ  Ｎａｎｏｔｕｂｅｓ  ｉｎ  ａｎ  Ｅｅｌｃｔｒｏｎ  Ｂｅａｍ）」，Ｎａｎｏ  Ｌｅｆｔ，２００１年，ｐ．１３２９−３３２
【非特許文献１０】Ｂａｒｒａｚａ  ｅｔ  ａｌ．，「ＳＷＮＴ−Ｆｉｌｌｅｄ  Ｔｈｅｒｍｏｐｌａｓｔｉｃ  ａｎｄ  Ｅｌａｓｔｏｍｅｒｉｃ  Ｃｏｍｐｏｓｉｔｅｓ  Ｐｒｅｐａｒｅｄ  ｂｙ  Ｍｉｎｉｅｍｕｓｉｏｎ  Ｐｏｌｙｍｅｒｉｚａｔｉｏｎ」，Ａｍｅｒｉｃａｎ  Ｃｈｅｍｉｃａｌ  Ｓｏｃｉｅｔｙ，Ｎａｎｏ  Ｌｅｔｔｅｒｓ，２００２年，第２巻，第８号，ｐ．７９７−８０２，（）．
【非特許文献１１】Ｂａｕｇｈｍａｎ  ｅｔ  ａｌ．，「Ｃａｒｂｏｎ  Ｎａｎｏｔｕｂｅｓ−ｔｈｅ  Ｒｏｕｔｅ  Ｔｏｗａｒｄ  Ａｐｐｌｉｃａｔｉｏｎｓ」，Ａｍｅｒｉｃａｎ  Ａｓｓｏｃｉａｔｉｏｎ  ｆｏｒ  ｔｈｅ  Ａｄｖａｎｃｅｍｅｎｔ  ｏｆ  Ｓｃｉｅｎｃｅ，Ｓｃｉｅｎｃｅ，２００２年，第２９７巻，ｐ．７８７−７９２
【非特許文献１２】Ｂａｕｇｈｍａｎ，Ｒ．  ｅｔ  ａｌ．，「Ｃａｒｂｏｎ  Ｎａｎｏｔｕｂｅ  Ａｃｔｕａｔｏｒｓ」，Ａｍｅｒｉｃａｎ  Ａｓｓｏｃｉａｔｉｏｎ  ｆｏｒ  ｔｈｅ  Ａｄｖａｎｃｅｍｅｎｔ  ｏｆ  Ｓｃｉｅｎｃｅ，Ｓｃｉｏｅｎｃｅ，１９９９年，第２８４巻，ｐ．１３４０−１３４４
【非特許文献１３】Ｂｅｒｂｅｒ  ｅｔ  ａｌ．，「Ｕｎｕｓｕａｌｌｙ  Ｈｉｇｈ  Ｔｈｅｒｍｉｎａｌ  Ｃｏｎｄｕｔｉｖｉｔｙ  ｏｆ  Ｃａｒｂｏｎ  Ｎａｎｏｔｕｂｅｓ」，（Ｐｈｙｓｉｃａｌ  Ｒｅｖｉｅｗ  Ｌｅｔｔｅｒｓ），２０００年，第８４巻，第２０号，ｐ．４６１３−４６１６，（Ｔｈｅ  Ａｍｅｒｅｉｃａｎ  Ｐｈｉｓｉｃａｌ  Ｓｏｃｉｅｔｙ）．
【非特許文献１４】Ｂｉｅｒｃｕｋ  ｅｔ  ａｌ．，「Ｃａｒｂｏｎ  Ｎａｎｏｔｕｂｅ  Ｃｏｍｏｓｉｔｅｓ  ｆｏｒ  Ｔｈｅｒｍｉｎａｌ  Ｍａｎａｇｅｍｅｎｔ」，Ａｍｅｒｉｃａｎ  Ｉｎｓｔｉｔｕｔｅ  ｏｆ  Ｐｈｙｓｉｃｓ，Ａｐｐｌｉｅｄ  Ｐｈｙｓｉｃｓ  Ｌｅｔｔｅｒｓ，２００２年，第８０巻，第１５号，ｐ．２７６７−２７６９
【非特許文献１５】Ｂｌａｎｃｈｅｔ  ｅｔ  ａｌ．，「Ｐｏｌｙａｎｉｌｉｎｅ  Ｎａｎｏｔｕｂｅ  Ｃｏｍｐｏｓｉｔｅｓ：  Ａ  Ｈｉｇｈ−Ｒｅｓｏｌｕｔｉｏｎ  Ｒｒｉｎｔａｂｌｅ  Ｃｏｎｄｕｃｔｏｒ」，Ａｍｅｒｉｃａｎ  Ｉｎｓｔｉｔｕｔｅ  ｏｆ  Ｐｈｙｓｉｃｓ，Ａｐｐｌｉｅｄ  Ｐｈｙｓｉｃｓ  Ｌｅｔｔｅｒ，２００３年，第８２巻，第８号，ｐ．１２９０−１２９２
【非特許文献１６】Ｂｏｕｌ，Ｐ．  ｅｔ  ａｌ．，「Ｒｅｖｅｒｓｉｂｌｅ  Ｓｉｄｅｗａｌｌ  Ｆｕｎｃｔｉｏｎａｌｉｚａｔｉｏｎ  ｏｆ  Ｂｕｃｋｙｔｕｂｅｓ」，Ｅｌｓｅｖｅｉｒ  Ｓｃｉｅｎｃｅ  Ｂ．Ｖ．，Ｃｈｅｍｉｃａｌ  Ｐｈｙｓｉｃｓ  Ｌｅｔｔｅｒｓ，１９９９年，第３１０巻，ｐ．３６７−３７２
【非特許文献１７】Ｂｒａｂｅｃ，Ｃ．Ｊ．  ｅｔ  ａｌ．，「Ｐｈｏｔｏａｃｔｉｖｅ  ｏｆ  ｂｌｅｎｄｓ  ｏｆ  ｐｏｌｙ（Ｐａｒａ−ｐｈｅｎｙｌｅｎｅｖｉｎｙｌｅｎｅ）（ＰＰＶ）ｗｉｔｈ  ｍｅｔｈａｎｏｆｕｌｌｅｒｅｎｅｓ  ｆｒｏｍ  ａ  ｎｏｖｅｌ  ｐｒｅｃｕｒｓｏｒ：  ｐｈｏｔｏｐｈｙｓｉｃｓ  ａｎｄ  ｄｅｖｉｃｅ  ｐｅｒｆｏｒｍａｎｃｅ」，Ｊｏｕｒｎａｌ  ｏｆ  Ｃｈｅｍｉｃａｌ  Ｐｈｙｓｉｃｓ，２００１年１月３１日，第１０５巻，ｐ．１５２８−１５３６
【非特許文献１８】￥Ｂａｎｚ，Ｕ．，「Ｐｏｌｙ（ａｒｙｌｅｎｅｅｔｈｙｎｙｌｅｎｅ）ｓ：  Ｓｙｎｔｈｅｓｅｓ，  ｐｒｏｓｐｅｒｉｔｅｉｓ，  Ｓｔｒｕｃｔｕｒｅｓ，  ａｎｄ  Ａｐｐｌｉｃａｔｉｏｎｓ」，Ａｍｅｒｉｃａｎ  Ｃｈｅｍｉｃａｌ  Ｓｏｃｉｅｔｙ，Ｃｈｅｍ．Ｒｅｖ．，２０００年，第１００巻，ｐ．１６０５−１６４４
【非特許文献１９】Ｃａｌｖｅｒｔ，Ｐ．，「Ａ  Ｒｅｃｉｐｅ  ｆｏｒ  Ｓｔｒｅｎｇｔｈ」，Ｍａｃｍｉｌｌａｎ  Ｍａｇａｚｉｎｅｓ  Ｌｔｄ，Ｎａｔｕｒｅ，１９９９年，第３９９巻，ｐ．２１０−２１１，（）．
【非特許文献２０】Ｃｈｅｎ  ｅｔ  ａｌ．，「Ｃｙｃｌｏｄｅｘｔｒｉｎ−Ｍｅｄｉａｔｅｄ  Ｓｏｆｔ  Ｃｕｔｔｉｎｇ  ｏｆ  Ｓｉｎｇｌｅ−Ｗａｌｌｅｄ  Ｃａｒｂｏｎ  Ｎａｎｏｔｕｂｅｓ」，Ｊ．ＡＭ．Ｃｈｅｍ．Ｓｏｃ．２００１年，１２３巻，ｐ．６２０１−６２０２
【非特許文献２１】Ｃｈｅｎ  ｅｔ  ａｌ．，「Ｎｏｎｃｏｖａｌｅｎｔ  Ｅｎｇｉｎｅｅｒｉｎｇ  ｏｆ  Ｃａｒｂｏｎ  Ｎａｎｏｔｕｂｅ  Ｓｒｕｆａｃｅｓ  ｂｙ  Ｒｉｇｉｄ，Ｆｕｎｃｔｉｏｎａｌ  Ｃｏｎｊｕｇａｔｅｄ  Ｐｏｌｙｍｅｒｓ」，Ａｍｅｒｉｃａｎ  Ｃｈｅｍｉｃａｌ  Ｓｏｃｉｅｔｙ，Ｊｏｕｒｎａｌ  ｏｆ  Ａｍｅｒｉｃａｎ  Ｃｈｅｍｉｃａｌ  Ｓｏｃｉｅｔｙ，２００２年，第１２４巻，第１３１号，ｐ．９０３４−９０３５
【非特許文献２２】Ｃｈｅｎ  ｅｔ  ａｌ．，Ｓｕｐｐｏｒｔｉｎ  ｉｎｆｏｒｍａｔｉｏｎ  ｆｏｒ「Ｎｏｎｃｏｖａｌｅｎｔ  Ｅｎｇｉｎｅｅｒｉｎｇ  ｏｆ  Ｃａｒｂｏｎ  Ｎａｎｏｔｕｂｅ  Ｓｒｕｆａｃｅｓ  ｂｙ  Ｒｉｇｉｄ，Ｆｕｎｃｔｉｏｎａｌ  Ｃｏｎｊｕｇａｔｅｄ  Ｐｏｌｙｍｅｒｓ」，２００２年，ｐ．Ｓ１−Ｓ７
【非特許文献２３】Ｃｈｅｎ，Ｊ．  ｅｔ  ａｌ．，「Ｄｉｓｓｏｌｕｔｉｏｎ  ｏｆ  Ｆｕｌｌ−Ｌｅｎｇｔｈ  Ｓｉｎｇｌｅ−Ｗａｌｌｅｄ  ＣＡｒｂｏｎ  Ｎａｎｏｔｕｂｅｓ」，Ａｍｅｒｉｃａｎ  Ｃｈｅｍｉｃａｌ  Ｓｏｃｉｅｔｙ，Ｊ．Ｐｈｙｓ．Ｃｈｅｍ．Ｂ，２００１年，第１０５巻，ｐ．２５２５−２５２８
【非特許文献２４】Ｃｈｅｎ，Ｊ．  ｅｔ  ａｌ．，「Ｎｏｎｃｏｖａｌｅｎｔ  Ｅｎｇｉｎｅｅｒｉｎｇ  ｏｆ  Ｃａｒｂｏｎ  Ｎａｎｏｔｕｂｅ  Ｓｕｒｆａｃｅｓ」，Ｎａｎｏｔｅｃｈ  ２００４  Ｃｏｎｆｅｒｅｎｃｅ  Ｔｅｃｈｎｉｃａｌ  Ｐｒｏｇｒａｍ  Ａｂｓｔｒａｃｔ，Ｓｕｍｍａｒｙ  ａｎｄ  Ｐｏｗｅｒ  Ｐｏｉｎｔ  Ｓｌｉｄｅｓ，２００４年３月７日〜１１日，Ｂｏｓｔｏｎ，２００４  ＮＳＴＩ  Ｎａｎｏｔｅｃｈｎｏｌｏｇｙ  Ｃｏｎｆｅｒｅｎｃｅ  ａｎｄ  Ｔｒａｄｅ  Ｓｈｏｗ
【非特許文献２５】チェン、ジェー．（Ｃｈｅｎ，Ｊ．  ｅｔ  ａｌ．，「（Ｒｏｏｍ−Ｔｅｍｐｅｒａｔｕｒｅ  Ａｓｓｅｍｂｌｙ  ｏｆ  Ｄｉｒｅｃｔｉｏｎａｌ  Ｃａｒｂｏｎ  Ｎａｎｏｔｕｂｅ  Ｓｔｒｉｎｇｓ）」，（Ｊ．Ａｍ．Ｃｈｅｍ．Ｓｏｃ．２００２），（１２４），（７５８−７５９）．
【非特許文献２６】Ｃｈｅｎ，Ｊ．ｅｔ  ａｌ．，「Ｓｏｌｕｔｉｏｎ  Ｐｒｏｐｅｒｔｉｅｓ  ｏｆ  Ｓｉｎｇｌｅ−Ｗａｌｌｅｄ  Ｃａｒｂｏｎ  Ｎａｎｏｔｕｂｅｓ」，Ａｍｅｒｉｃａｎ  Ａｓｓｏｃｉａｔｉｏｎ  ｆｏｒ  ｔｈｅ  Ａｄｖａｎｃｅｍｅｎｔ  ｏｆ  Ｓｃｉｅｎｃｅ，Ｓｃｉｅｎｃｅ，１９９８年，第２８２巻，ｐ．９５−９８
【非特許文献２７】Ｃｈｅｎ，Ｊ．，Ｐｒｅｓｅｎｔａｔｉｏｎ  ａｔ  ２２７ｔｈ  ＡＣＳ  Ｎａｔｉｏｎａｌ  Ｍｅｅｔｉｎｇ  ｅｎｔｉｔｌｅｄ  「Ｎｏｎｃｏｖａｌｅｎｔ  Ｅｎｇｉｎｅｅｒｉｎｇ  ｏｆ  Ｃａｒｂｏｎ  Ｎａｎｏｔｕｂｅ  Ｓｕｒｆａｃｅｓ」，（Ａｎａｈｅｉｍ），（Ｃａｌｉｆｏｒｎｉａ），２００４年３月３１日，（ｓｕｂｊｅｃｔ  ｍａｔｔｅｒ  ｗａｓ  ｉｄｅｎｔｉｃａｌ  ｔｏ  ａｂｏｖｅ  ｅｎｔｒｙ）
【非特許文献２８】Ｃｈｅｎ，Ｒ．  ｅｔ  ａｌ．，「Ｎｏｎｃｏｖａｌｅｎｔ  Ｓｉｄｅｗａｌｌ  Ｆｕｎｃｔｉｏｎａｌｉｚａｔｉｏｎ  ｏｆ  Ｓｉｎｇｌｅ−Ｗａｌｌｅｄ  Ｃａｒｂｏｎ  Ｎａｎｏｔｕｂｅｓ  ｆｏｒ  ｐｒｏｔｅｉｎ  Ｉｍｍｏｂｉｌｉｚａｔｉｏｎ」，Ａｍｅｒｉｃａｎ  Ｃｈｅｍｉｃａｌ  Ｓｏｃｉｅｔｙ，Ｊ．Ａｍ．Ｃｈｅｍ．Ｓｏｃ．，２００１年，第１２３巻，ｐ．３８３８−３８３９
【非特許文献２９】Ｃｈｅｎ，Ｙ．ｅｔ  ａｌ．，「Ｍｅｃｈａｎｏｃｈｅｍｉｃａｌ  Ｓｙｎｔｈｅｉｓ  ｏｆ  Ｂｏｒｏｎ  Ｎｉｔｒｉｄｅ  Ｎａｎｏｔｕｂｅｓ」，Ｍａｔｅｒｉａｌｓ  Ｓｃｉｅｎｃｅ  Ｆｏｒｕｍ，１９９９年，第３１２−３１４巻，ｐ．１７３−１７７、及びＪｏｕｒｎａｌ  ｏｆ  Ｍｅｔａｓｔａｂｌｅ  ａｎｄ  Ｎａｎｏｃｒｙｓｔａｌｌｌｉｎｅ  Ｍａｔｅｒｉａｌｓ，１９９９年，第２−６巻，ｐ．１７３−１７７，（Ｔｒａｎｓ  Ｔｅｃｈ  Ｐｕｂｌｉｃａｔｉｏｎｓ
【非特許文献３０】Ｃｈｅｎｇ  ｅｔ  ａｌ．，「Ｎｏｎｃｏｖａｌｅｎｔ  Ｆｕｎｃｔｉｏｎａｌｉｚａｔｉｏｎ  ａｎｄ  Ｓｏｌｕｂｉｌｉｚａｔｉｏｎ  ｏｆ  Ｃａｒｂｏｎ  Ｎａｎｏｔｕｂｅｓ  ｂｙ  Ｕｓｉｎｇ  Ｃｏｎｊｕｇａｔｅｄ  Ｚｎ−Ｐｏｒｐｈｙｒｉｎ  Ｐｏｌｙｍｅｒ」，Ｃｈｅｍ．Ｅｕｒ．Ｊ．２００６年，１２巻，ｐ．５０５３−５０５９
【非特許文献３１】Ｃｈｉｎａ  Ａｐｐｌｉｃａｔｉｏｎ  Ｎｏ．０３１３６７８５．２，Ｏｆｆｉｃｅ  Ａｐｐｌｉｃａｔｉｏｎ  ａｎｄ  ｔｒａｎｓｌａｔｉｏｎ，２００４年１２月１７日
【非特許文献３２】Ｃｈｉｎａ  Ａｐｐｌｉｃａｔｉｏｎ  Ｎｏ．０３１３６７８６．０，Ｏｆｆｉｃｅ  Ａｐｐｌｉｃａｔｉｏｎ  ａｎｄ  ｔｒａｎｓｌａｔｉｏｎ，２００５年１月２１日
【非特許文献３３】Ｃｏｌｅｍａｎ  ｅｔ  ａｌ．，「Ｐｅｒｃｏｌａｔｉｏｎ−Ｄｏｍｉｎａｔｅｄ  Ｃｏｎｄｕｃｔｉｖｉｔｙ  ｉｎ  ａ  Ｃｏｎｊｕｇｎａｔｅｄ−Ｐｏｌｙｍｅｒ−Ｃａｒｂｏｎ−Ｎａｎｏｔｕｂｅ  Ｃｏｍｐｏｓｉｔｅ」，Ｔｈｅ  Ａｍｅｒｉｃａｎ  Ｐｈｙｓｉｃａｌ  Ｓｏｃｉｅｔｙ，Ｐｈｙｓｉｃａｌ  Ｒｅｖｉｅｗ  Ｂ，１９９８年，第５８巻，第１２号，ｐ．Ｒ７４９２−Ｒ７４９５
【非特許文献３４】Ｃｏｌｌｉｎｓ  ｅｔ  ａｌ．，「Ｅｎｇｉｎｅｅｒｉｎｇ  Ｃａｒｂｏｎ  Ｎａｎｏｔｕｂｅｓ  ａｎｄ  Ｎａｎｏｔｕｂｅ  Ｃｉｒｃｕｉｔｓ  Ｕｓｉｎｇ  Ｅｌｅｃｔｒｉｃａｌ  Ｂｒｅａｋｄｏｗｎ」，Ｓｃｉｅｎｃｅ，２００１年，２９２巻，ｐ．７０６−７０９
【非特許文献３５】Ｃｏｌｌｉｎｓ  ｅｔ  ａｌ．，「Ｅｘｔｒｅｍｅ  Ｏｘｙｇｅｎ  Ｓｅｎｓｉｔｉｖｉｔｙ  ｏｆ  Ｅｌｅｃｔｒｏｎｉｃ  Ｐｒｏｐｅｒｉｔｉｅｓ  ｏｆ  Ｎａｎｏｔｕｂｅｓ」，Ｓｃｉｅｎｃｅ，２０００年，２８７巻，ｐ．１８０１−１８０４
【非特許文献３６】Ｃｒａｉｇｈｅａｄ  ｅｔ  ａｌ．，「Ｎａｎｏｅｌｅｃｔｒｏｍｅｃｈａｎｉｃａｌ  Ｓｙｓｔｅｍｓ」，Ｓｃｉｅｎｃｅ，２０００年，２９０巻，ｐ．１５３２−１５３５
【非特許文献３７】ダルトン（Ｄａｌｔｏｎ  ｅｔ  ａｌ．，「Ｓｅｌｅｃｔｉｖｅ  Ｉｎｔｅｒａｃｔｉｏｎ  ｏｆ  ａ  Ｓｅｍｉｃｏｎｊｕｇａｔｅｄ  Ｏｒｇａｎｉｃ  Ｐｏｌｙｍｅｒ  ｗｉｔｈ  Ｓｉｇｌｅ−Ｗａｌｌ  Ｎａｎｏｔｕｂｅｓ」，Ａｍｅｒｉｃａｎ  Ｃｈｅｍｉｃａｌ  Ｓｏｃｉｅｔｙ，Ｊ．Ｐｈｙｓ．Ｃｈｅｍ．Ｂ，２０００年，第１０４巻，第４３号，ｐ．１００１２−１００１６
【非特許文献３８】Ｄｅｒｙｃｋｅ  ｅｔ  ａｌ．，「Ｃａｒｂｏｎ  Ｎａｎｏｔｕｂｅ  Ｉｎｔｅｒ−ａｎｄ  Ｉｎｔｅｒｍｏｌｅｃｕｌａｒ  Ｌｏｇｉｃ  Ｇａｔｅｓ」，Ｎａｎｏ  Ｌｅｆｔ，２００１年，１巻，ｐ．４５３−４５６
【非特許文献３９】Ｄｉｅｈｌ  ｅｔ  ａｌ．，「Ｓｅｌｆ−Ａｓｓｅｍｂｌｅｄ  Ｃａｒｂｏｎ  Ｎａｎｏｔｕｂｅ  Ｗｒｉｔｉｎｇ  Ｎｅｔｗｏｒｋｓ」，Ａｎｇｅｗ．Ｃｈｅｍ．Ｉｎｔ．Ｅｄ，２００２年，４１巻，３５３−３５６
【非特許文献４０】Ｄｒｅｓｓｅｌｈａｕｓ，Ｍ．Ｓ．ｅｔ  ａｌ．，Ｓｃｉｅｎｃｅ  ｏｆ  Ｆｕｌｌｅｒｅｎｅｓ  ａｎｄ  Ｃａｒｂｏｎ  Ｎａｎｏｔｕｂｅｓ，１９９６年，Ｓａｎ  Ｄｉｅｇｏ，Ａｃａｄｅｍｉｃ  Ｐｒｅｓｓ，ｐ．８７０−９１７
【非特許文献４１】Ｅｂａｓｓｅｎ，Ｔ．  ｅｔ  ａｌ．，「Ｃｏｎｅｓ  ａｎｄ  Ｔｕｂｅｓ：  Ｇｅｏｍｅｔｒｙ  ｉｎ  ｔｈｅ  Ｃｈｅｍｉｓｔｒｙ  ｏｆ  Ｃａｒｂｏｎ」，Ａｍｅｒｉｃａｎ  Ｃｈｅｍｉｃａｌ  Ｓｏｃｉｅｔｙ，Ａｃｃ．Ｃｈｅｍ．Ｒｅｓ．，１９９８年，第３１巻，ｐ．５５８−５６６
【非特許文献４２】Ｅｒｄｏｇａｎ  ｅｔ  ａｌ．，「Ｓｙｎｔｈｅｓｉｓ  ａｎｄ  Ｍｅｓｏｓｃｏｐｉｃ  Ｏｒｄｅｒ  ｏｆ  ａ  Ｓｕｇｅｒ−Ｃｏａｔｅｄ  Ｐｏｌｙ（ｐ−ｐｈｅｎｙｌｅｎｅｅｔｈｙｎｙｌｅｎｅ」，Ａｍｅｒｉｃａｎ  Ｃｈｅｍｉｃａｌ  Ｓｏｃｉｅｔｙ，Ｍａｃｒｏｍｏｌｅｃｕｌｅｓ，２００２年，ｐ．７８６３−７８６４
【非特許文献４３】Ｅｕｒｏｐｅａｎ  Ｐａｔｅｎｔ  Ａｐｐｌｉｃａｔｉｏｎ  Ｎｕｍｂｅｒ  ０３２５２７６１．６  Ｅｘａｍｉｎａｔｉｏｎ  Ｒｅｐｏｒｔ  ｄａｔｅｄ  １１／１５／２００７
【非特許文献４４】ＥＰ０３２５２７６２．４，Ｅｕｒｏｐｅａｎ  Ｐａｔｅｎｔ  Ｅｘａｍｉｎａｔｉｏｎ  Ｒｅｏｒｔ，２００７年６月２６日
【非特許文献４５】ＥＰ０３２５２７６１．６，Ｅｕｒｏｐｅａｎ  Ｓｅａｒｃｈ  Ｒｅｐｏｒｔ  ２００３年９月１８日
【非特許文献４６】ＥＰ０３２５２７６２，Ｅｕｒｏｐｅａｎ  Ｓｅａｒｃｈ  Ｒｅｐｏｒｔ，２００３年９月１８日
【非特許文献４７】Ｆｒａｎｋｌｉｎ  ｅｔ  ａｌ．，「Ａｎ  Ｅｎｈａｎｃｅｄ  ＣＶＤ  Ａｐｐｒｏａｃｈ  ｔｏ  Ｅｘｔｅｎｓｉｖｅ  Ｎａｎｏｔｕｂｅ  Ｎｅｔｗｏｒｋｓ  ｗｉｔｈ  Ｄｉｒｅｃｔｉｏｎａｌｉｔｙ」，Ａｄｖ．Ｍａｔｅｒ，２０００年，１２巻，ｐ．８９０−８９４
【非特許文献４８】Ｇａｌｂｏｃｚｉ  ｅｔ  ａｌ．，「Ｇｅｏｍｅｔｒｉｃａｌ  Ｐｅｒｃｏｌａｔｉｏｎ  Ｔｈｒｅｓｈｏｌｄ  ｏｆ  Ｏｖｅｒｌａｐｐｉｎｇ  Ｅｌｌｉｐｓｏｉｄｓ」，Ｐｈｙｓｉｃａｌ  Ｒｅｖｉｅｗ  Ｅ，Ｔｈｅ  Ａｍｅｒｉｃａｎ  Ｐｈｙｓｉｃａｌ  Ｓｏｃｉｅｔｙ，１９９５年，第５２巻，第１号，ｐ．８１９−８２８
【非特許文献４９】Ｇｅｏｒｇｅａｋｉｌａｓ，Ｖ．ｅｔ  ａｌ．，「Ｏｒｇａｎｉｃ  Ｆｕｎｃｔｉｏｎａｌｉｚａｔｉｏｎ  ｏｆ  Ｃａｒｂｏｎ  Ｎａｎｏｔｕｂｅｓ」，Ａｍｅｒｉｃａｎ  Ｃｈｅｍｉｃａｌ  Ｓｏｃｉｅｔｙ，Ｊ．Ａｍ．Ｃｈｅｍ．Ｓｏｃ．，２００２年，第１２４巻，第５号，ｐ．７６０−７６１
【非特許文献５０】Ｇｅｒｄｅｓ  ｅｔ  ａｌ．，「Ｃｏｍｉｎｇ  ａ  Ｃａｒｂｏｎ  Ｎａｎｏｔｕｂｅ  ｏｎ  ａ  Ｆｌａｔ  Ｍｅｔａｌ−Ｉｎｓｕｌａｔｏｒ−Ｍｅｔａｌ  Ｎａｎｏｊｕｃｔｉｏｎ」，Ｅｕｒｏｐｈｙｓ．Ｌｅｆｔ．，１９９９年，４８巻，第３号，p.２９２−２９８
【非特許文献５１】Ｈａｄｄｏｎ  ｅｔ  ａｌ．，「Ｃｈｅｍｉｓｔｒｙ  ｏｆ  ｔｈｅ  Ｆｕｌｌｅｒｎｅｓ：  Ｔｈｅ  Ｍａｎｉｆｅｓｔａｔｉｏｎ  ｏｆ  Ｓｔｒａｉｎ  ｉｎ  ａ  Ｃｌａｓｓ  ｏｆ  Ｃｏｎｓｔｉｎｕｏｕｓ  Ａｒｏｍａｔｉｃ  Ｍｏｌｅｃｕｌｅｓ」，Ｓｃｉｅｎｃｅ，１９９３年，第２６１巻，ｐ．１５４５
【非特許文献５２】Ｈａｄｄｏｎ，「Ｅｌｅｃｔｒｏｎｉｃ  Ｐｏｐｅｒｔｉｅｓ  ｏｆ  Ｃａｒｂｏｎ  Ｔｏｒｏｉｄｓ」，１９９７年，２６１巻，ｐ．１５４５
【非特許文献５３】Ｈａｄｄｏｎ，Ｒ．Ｃ．，「Ｍａｇｎｅｔｉｓｍ  ｏｆ  ｔｈｅ  ｃａｒｂｏｎ  ａｌｌｏｔｒｏｐｅｓ」，Ｎａｔｕｒｅ，１９９５年，３７８巻，ｐ．２４９−２５５
【非特許文献５４】Ｈａｍｍｏｎ  ｅｔ  ａｌ．，「Ｄｉｓｓｏｌｕｔｉｏｎ  ｏｓ  Ｓｉｎｇｌｅ−Ｗａｌｌｅｄ  Ｃａｒｂｏｎ  Ｎａｎｏｔｕｂｅｓ」，Ａｄｖａｎｃｅｄ  Ｍａｔｅｒｉａｌｓ，１９９９年，第１１巻，Ｉｓｓｕｅ  １０，ｐ．８３４−８４０．
【非特許文献５５】Ｈａｎ，Ｗ．  ｅｔ  ａｌ．，「Ｓｙｎｔｈｅｓｅｉｓ  ｏｓ  Ｂｏｒｏｎ  Ｎｉｔｒｉｄｅ  Ｎａｎｏｔｕｂｅｓ  ｆｒｏｍ  Ｃａｒｂｏｎ  Ｎａｎｏｔｕｂｅｓ  ｂｙ  ａ  Ｓｕｂｓｔｉｔｕｔｉｏｎ  Ｒｅａｃｔｉｏｎ」，Ａｍｅｒｉｃａｎ  Ｉｎｓｔｉｔｕｔｅ  ｏｆ  Ｐｈｙｓｉｃｓ，Ａｐｐｌｉｅｄ  Ｐｈｙｓｉｃｓ  Ｌｅｔｔｅｒｓ，１９９８年，第７３巻，第２１号，ｐ．３０８５−３０８７
【非特許文献５６】Ｈａｐｐｅｒ，Ｃ．，「Ａｐｐｅｎｅｄｉｘ  Ｄ−Ｅｌｅｃｔｒｉｃａｌ  Ｐｒｏｐｅｒｉｅｓ  ｏｆ  Ｒｅｓｉｎｓ  ａｎｄ  Ｃｏｍｐｏｕｎｄｓ」，Ｍｃｇｒａｗ−Ｈｉｌｌ，Ｈａｎｄｂｏｏｋ  ｏｆ  ｐｌａｓｔｉｃｓ，  Ｅｌａｓｔｏｍｅｒｓ，  ａｎｄ  Ｃｏｍｐｏｓｉｔｅｓ，  ４ｔｈ  Ｅｄｔｉｏｎ，２００２年，ｐ．８６１−８６３，
【非特許文献５７】Ｈｉｒｓｃｈ，Ａ．，「Ｆｕｎｃｔｉｏｎａｌｉｚａｔｉｏｎ  ｏｆ  Ｓｉｎｇｌｅ−Ｗａｌｌｅｓ  Ｎａｎｏｔｕｂｅｓ」，Ａｎｇｅｗａｎｄｔｅ  Ｃｈｅｍｉｅ），（Ｉｎｔｅｒｎａｔｉｏｎａｌ  Ｅｄｉｔｉｏｎ，Ｖｅｒｌａｇ  Ｃｈｅｍｉｅ，Ｗｅｉｎｈｅｉｍ，ＤＥ，２００２年，第４１巻，第１１号，ｐ．１８５３−１８５９
【非特許文献５８】Ｈｏｌｚｉｎｇｅｒ  ｅｔ  ａｌ．，「Ｓｉｄｅｗａｌｌ  Ｆｕｎｃｔｉｏｎａｌｉｚａｔｉｏｎ  ｏｆ  Ｃａｒｂｏｎ  Ｎａｎｏｔｕｂｅｓ」，Ａｎｇｒｅｗ．Ｃｈｅｍｉｅ），（Ｉｎｔｅｒｎａｔｉｏｎａｌ  Ｅｄｄｉｔｉｏｎ，２００１年，４０巻，ｐ．４００２−４００５
【非特許文献５９】Ｈｏｒｎｙａｋ  ｅｔ  ａｌ．，「Ｔｅｍｐｌａｔｅ  Ｓｙｎｔｈｅｓｉｓ  ｏｆ  Ｃａｒｂｏｎ  Ｎａｎｏｔｕｂｅｓ」，Ｎａｎｏｓｔｒｕｃｔｕｒｅｄ  Ｍａｔｅｒｉａｌｓ，Ｅｌｓｅｖｉｅｒ，Ｎｅｗ  Ｙｏｒｋ，Ｎｅｗ  Ｙｏｒｋ，ＵＳ，１９９９年，第１２巻，第１−４号，ｐ．８３−８８
【非特許文献６０】Ｈｕａｎｇ  ｅｔ  ａｌ．，「Ｄｉｒｅｃｔｅｄ  Ａｓｓｅｍｂｌｙ  ｏｆ  Ｏｎｅ−Ｄｉｍｅｎｓｉｏｎａｌ  Ｎａｎｏｓｔｒｕｃｔｕｒｅｓ  ｉｎｔｏ  Ｆｕｎｃｔｉｏｎａｌ  Ｎｅｔｗｏｒｋｓ」，Ｓｃｉｅｎｃｅ，２００１年，２９１巻，ｐ．６３０−６３３
【非特許文献６１】Ｉｉｊｉｍａ  ｅｔ  ａｌ．，「Ｓｔｒｕｃｔｕｒａｌ  Ｆｌｅｘｉｂｉｌｉｔｙ  ｏｆ  Ｃａｒｂｏｎ  Ｎａｎｏｔｕｂｅｓ」，Ｊ．Ｃｈｅｍ．Ｐｈｙｓ，１９９６年，１０４巻，第５号，ｐ．２０８９−２０９２
【非特許文献６２】Ｊａｐａｎｅｓｅ  Ａｐｐｌｉｃａｔｉｏｎ  ＪＰ２００３−１２７１１４，Ｔｒａｎｓｌａｔｉｏｎ  ｏｆ  Ｊａｐａｎｅｓｅ  Ｏｆｆｉｃｅ  Ａｃｔｉｏｎ，２００４年１１月３０日
【非特許文献６３】Ｊａｐａｎｅｓｅ  Ａｐｐｌｉｃａｔｉｏｎ  ＪＰ２００３−１２７１３２，Ｔｒａｎｓｌａｔｉｏｎ  ｏｆ  Ｊａｐａｎｅｓｅ  Ｏｆｆｉｃｅ  Ａｃｔｉｏｎ，２００４年１１月３０日
【非特許文献６４】Ｊｏｕｒｎｅｔ，Ｃ．ｅｔ  ａｌ．，「Ｌａｒｇｅ−Ｓｃａｌｅ  Ｐｒｏｄｕｃｔｉｏｎ  ｏｆ  Ｓｉｎｇｌｅ-Ｗａｌｌｅｄ  Ｃａｒｂｏｎ  Ｎａｎｏｔｕｂｅｓ  ｂｙ  Ｅｌｅｃｔｒｉｃ−Ａｒｃ  Ｔｅｃｈｎｉｑｕｅ」，Ｎａｔｕｒｅ  Ｐｕｂｌｉｓｈｉｎｇ  Ｇｒｏｕｐ，Ｎａｔｕｒｅ，１９９７年，第３８８巻，ｐ．７５６−７５８
【非特許文献６５】Ｊｏｕｒｎｅｔ，Ｃ．ｅｔ  ａｌ．，Ｓｐｒｉｎｇ−Ｖｅｒａｌａｇ，「Ｐｒｏｄｕｃｔｉｏｎ  ｏｆ  Ｃａｒｂｏｎ  Ｎａｎｏｔｕｂｅｓ」，Ａｐｐｌ．Ｐｈｙｓ．Ａ，１９９８年，第６７巻，ｐ．１−９
【非特許文献６６】Ｋｉｌｂｒｉｄｅ  ｅｔ  ａｌ．，「Ｅｘｐｅｒｉｍｅｎｔａｌ  Ｏｂｓｅｅｒｖａｔｉｏｎ  ｏｆ  Ｓｃａｉｌｉｎｇ  Ｌａｗｓ  ｆｏｒ  Ａｌｔｅｒｎａｔｉｎｇ  Ｃｕｒｒｅｎｔ  ａｎｄ  Ｄｉｒｅｃｔ  Ｃｕｒｒｅｎｔ  Ｃｏｎｄｕｃｔｉｖｉｔｙ  ｉｎ  Ｐｏｌｙｍｅｒ−Ｃａｒｂｏｎ  Ｎａｎｏｔｕｂｅ  Ｃｏｍｐｏｓｉｔｅ  Ｔｈｉｎ  Ｆｉｌｍｓ」，ｍｅｒｉｃａｎ  Ｉｎｓｔｉｔｕｔｅ  ｏｆ  Ｐｈｙｓｉｃｓ，Ｊｏｕｒｎａｌ  ｏｆ  Ａｐｐｌｉｅｄ  Ｐｈｙｓｉｃｓ，２００２年，第９２巻，第７号，ｐ．４０２４−４０３０
【非特許文献６７】Ｋｉｍ  ｅｔ  ａｌ．，「Ｉｏｎ−ｓｐｅｃｉｆｉｃ  Ａｇｇｒｅｇｔｉｏｎ  ｉｎ  Ｃｏｎｊｕｇａｔｅｄ  Ｐｏｌｙｍｅｒｓ：  Ｈｉｇｈｌｙ  Ｓｅｎｓｉｔｉｖｅ  ａｎｄ  Ｓｅｌｅｃｔｉｖｅ  Ｆｌｕｏｒｅｓｃｅｎｔ  Ｉｏｎ  Ｃｈｅｍｏｓｅｎｓｏｒｓ」，Ｗｉｌｅｙ−ＶＣＨ  Ｖｅｒｌａｇ  ＧｍｂＨ，Ａｎｇｅｗ．Ｃｈｅｍ．Ｉｎｔ．Ｅｄｕ，２０００年，ｐ．３８６８−３８７２
【非特許文献６８】Ｋｉｍ  ｅｔ  ａｌ．，「Ｍｉｃｒｏｍｏｌｄｉｎｇ  ｉｎ  Ｃａｐｉｌｌａｒｉｅｓ  ｉｎ  Ｍａｔｅｒｉａｌｓ  Ｓｃｉｅｎｃｅ」，Ｊ．ＡＭ．Ｃｈｅｍ．Ｓｏｃ，１９９６年，１１８，ｐ．５７２２−５７３１
【非特許文献６９】Ｋｏｉｓｈｉ  ｅｔ  ａｌ．，「Ｓｙｎｔｈｅｓｉｓ  ａｎｆ  Ｎｏｎ−Ｌｉｎｅａｒ  Ｏｐｔｉｏｎａｌ  Ｐｒｏｐｅｒｔｉｅｓ  ｏｆ  １，３-  ａｎｄ  １，４−ｄｉｓｕｂｓｔｉｔｕｔｅｄ  ｔｙｐｅ  ｏｆ  ｐｏｌｙ（Ｐｈｅｎｙｌｅｎｅｅｔｈｙｌｅｎｅ）ｓ  Ｃｏｎｔａｉｎｉｎｇ  ｅｌｅｃｔｒｏｎ−ｄｏｎｏｒ  ａｎｄ  ａｃｃｅｐｔｅｒ  ｇｒｏｕｐ」，Ｍａｃｒｏｍｏｌ．Ｃｈｅｍ．Ｐｈｙｓ，２０００年，２０１巻，ｐ．５２５−５３２
【非特許文献７０】Ｋｏｎｇ  ｅｔ  ａｌ．，「Ｎａｎｏｔｕｂｅ  Ｍｏｌｅｃｕｌａｒ  Ｗｉｒｅｓ  ａｓ  Ｃｈｅｍｉａｃａｌ  Ｓｅｎｓｏｒｓ」，Ｓｃｉｅｎｃｅ，２０００年，２８７巻，ｐ．６２２−６２５
【非特許文献７１】Ｋｏｒｅａｎ  Ａｐｐｌｉｃａｔｉｏｎ  ２９１８４／２００３，Ｋｏｒｅａｎ  Ｏｆｆｉｃｅ  Ａｃｔｉｏｎ  ｏｆ  Ｔｈｅｒｅｏｆ，２００５年４月３０日
【非特許文献７２】Ｋｏｒｅａｎ  Ａｐｐｌｉｃａｔｉｏｎ  ２９１８４／２００３，Ｋｏｒｅａｎ  Ｏｆｆｉｃｅ  Ａｃｔｉｏｎ  ｏｆ  Ｔｈｅｒｅｏｆ，２００５年８月１９日
【非特許文献７３】Ｋｏｒｅａｎ  Ａｐｐｌｉｃａｔｉｏｎ  ２９１８５／２００３，  Ｋｏｒｅａｎ  Ｏｆｆｉｃｅ  Ａｃｔｉｏｎ  ｏｆ  Ｔｈｅｒｅｏｆ，２００５年８月１９日
【非特許文献７４】Ｋｏｒｅａｎ  Ｏｆｆｉｃｅ  Ａｃｔｉｏｎ  ｆｏｒ  ２９１８５／２００３，２００６年２月１７日
【非特許文献７５】Ｋｒｉｓｈｎａｎ  ｅｔ  ａｌ．，「Ｙｏｕｎｇ’ｓＭｏｎｄｕｌｕｓ  ｏｆ  ｓｉｎｇｌｅ−Ｗａｌｌｅｄ  Ｎａｎｏｔｕｂｅｓ」，Ｔｈｅ  Ａｍｅｒｉｃａｎ  Ｐｈｙｓｉｃａｌ  Ｓｏｃｉｅｔｙ，Ｐｈｙｓｉｃａｌ  Ｒｅｖｉｅｗ  Ｂ，１９９８年，第５８巻，第２０号，ｐ．１４０１３−１４０１９
【非特許文献７６】Ｋｕｒｏｄａ  ｅｔ  ａｌ．，「Ｓｙｎｔｈｅｓｉｓ  ｏｆ  ａ  ｎｏｎｉｏｎｉｃ  ｗａａｔｅｒ  ｓｏｌｕｂｌｅ  ｓｅｍｉｃｏｎｄｕｃｉｖｅ  ｐｏｌｙｍｅｒ」，Ｃｈｅｍ．Ｃｏｍｍｕｎ，２００３年，ｐ．２６−２７
【非特許文献７７】Ｌａｋｏｗｉｃｚ  ｅｔ  ａｌ．，「Ｒａｄｉａｔｉｖｅ  Ｄｅｃａｙ  Ｅｎｇｉｎｅｅｒｉｎｇ：  Ｂｉｏｐｙｓｉｃａｌ  ａｎｄ  Ｂｉｏｍｅｄｉｃａｌ  Ａｐｐｌｉｃａｔｉｏｎｓ」，Ａｎａｌｙｔｉｃａｌ  Ｂｉｏｃｈｅｍｉｓｔｒｙ，２００１年，２９８巻，ｐ．１−２４
【非特許文献７８】Ｌｉ  ｅｔ  ａｌ．，「Ｈｉｇｈ−ｏｒｄｅｒｅｄ  Ｃａｒｂｏｎ  Ｎａｎｏｔｕｂｅ  Ａｒｒａｙｓ  ｆｏｒ  Ｅｌｅｃｔｒｏｎｉｃｓ  ａｐｐｌｉｃａｔｉｏｎｓ」，Ａｐｐｌｉｅｄ  Ｐｈｙｓｉｃｓ  Ｌｅｔｔｅｒｓ，Ａｍｅｒｉｃａｎ  Ｉｎｓｔｉｔｕｔｅ  ｏｆ  Ｐｈｙｓｉｃｓ，Ｎｅｗ  Ｙｏｒｋ，ＵＳ，１９９９年７月１９日，第７５巻，第３号，ｐ．３６７−３６９
【非特許文献７９】Ｌｉｕ  ｅｔ  ａｌ．，「Ｃｏｎｔｒｏｌｌｅｄ  Ｄｅｐｏｓｉｔｉｏｎ  ｏｆ  Ｉｎｄｉｖｉｓｕａｌ  Ｓｉｎｇｌｅ−Ｗａｌｌｅｄ  Ｃａｒｂｏｎ  Ｎａｎｏｔｕｂｅｓ  ｏｎ  Ｃｈｅｍｉｃａｌｌｙ  Ｆｕｎｃｔｉｏｎａｌｉｚｅｄ  Ｔｅｍｐｌａｔｅｓ」，Ｃｈｅｍ．Ｐｈｙｓ．Ｌｅｔｔ，１９９９年，第３０３巻，ｐ．１２５−１２９
【非特許文献８０】Ｌｉｕ，Ｊ．ｅｔ  ａｌ．，「Ｆｕｌｌｅｒｅｎｅ  Ｐｉｐｉｅｓ」，Ｓｃｉｅｎｃｅ，１９９９年，第２８０巻，ｐ．１２５３−１２５６
【非特許文献８１】Ｍａｒｔｅｌ，「Ｍｏｌｅｃｕｌａｒ  Ｆｕｎｃｔｉｏｎａｌｉｚａｔｉｏｎ  ｏｆ  Ｃａｒｂｏｎ  Ｎａｎｏｔｕｂｅｓ  ａｎｄＵｓｅ  ａｓ  Ｓｕｂｓｔｒａｔｅｓ  ｆｏｒ  Ｎｅｕｒｏｎａｌ  Ｇｒｏｗｔｈ」，Ｊ．Ｍｏｌｅｃｕｌａｒ  Ｎｅｕｒｏｓｃｉｅｎｃｅ，２０００年，第１４巻，ｐ．１７５−１８２
【非特許文献８２】Ｍａｔｔｓｏｎ  ｅｔ  ａｌ．，「Ｍｏｌｅｃｕｌａｒ  Ｆｕｎｃｔｉｏｎａｌｉｚａｔｉｏｎ  ｏｆ  Ｃａｒｃｏｎ  Ｎａｎｏｔｕｂｅｓ  ａｎｄ  Ｕｓｅ  ａｓ  Ｓｕｂｓｔｒａｔｅｓ  ｆｏｒ  Ｎｅｕｒｏｎａｌ  Ｇｒｏｗｔｈ」，Ｍｏｌｅｃｕｌａｒ  Ｎｅｕｒｏｓｃｉｅｎｃｅ，２０００年，第１４巻，ｐ．１７５−１８２
【非特許文献８３】Ｍｃｑｕａｄｅ，Ｄ．ｅｔ  ａｌ．，「Ｓｉｇｎａｌ  Ａｐｌｉｆｉｃａｔｉｏｎ  ｏｆ  ａ  ’Ｔｕｒｎ−ｏｎ’  Ｓｅｎｓｏｒ：  Ｈａｒｖｅｓｔｉｎｇ  ｔｈｅ  Ｌｉｇｈｔ  Ｃａｐｔｕｒｅｄ  ｂｙ  ａ  Ｃｏｎｊｕｇａｔｅｄ  Ｐｏｌｙｍｅｒ」，Ｊ．Ａｍ．Ｃｈｅｍ．Ｓｏｃ．，２０００年，第１２２巻，ｐ．１２３８９−１２３９０、及びＳｕｐｐｌｅｍｅｎｔａｒｙ  Ｍａｔｅｒｉａｌｓ，Ａｍｅｒｉｃａｎ  Ｃｈｅｍｉｃａｌ  Ｓｏｃｉｅｔｙ，ｐｐ．Ｓ１−Ｓ７
【非特許文献８４】Ｍｅｓｓｅｒ  ｅｔ  ａｌ．，「Ｍｉｃｒｏｃｈａｎｎｅｌ  Ｎｅｔｗｏｒｋｓ  ｆｏｒ  Ｎａｎｏｗｉｒｅ  Ｐａｔｔｅｒｎｉｎｇ」，Ｊ．Ａｍ．Ｃｈｅｍ．Ｓｏｃ．，２０００年，第１２２巻，ｐ．１０２３２−１０２３３
【非特許文献８５】Ｍｉｃｋｅｌｓｏｎ  ｅｔ  ａｌ．，「Ｓｏｌｖａｔｉｏｎ  ｏｆ  Ｆｌｕｏｒｉｎａｔｅｄ  Ｓｉｎｇｌｅ−Ｗａｌｌ  Ｃａｒｂｏｎ  Ｎａｎｏｔｕｂｅｓ  ｉｎ  Ａｌｃｏｈｏｌ  Ｓｏｌｖｅｎｔｓ」，Ｐｈｙｓ．Ｃｈｅｍ．Ｂ，１９９９年，第１０３巻，ｐ．４３１８−４３２２
【非特許文献８６】Ｍｉｌｌｅｒ，Ｒ．，「Ｔｉｎｙ  Ｇｒａｈｉｔｅ  Ｔｕｂｅｓ’Ｃｒｅａｔｅ  Ｈｉｇｈ−Ｅｆｉｃｉｅｎｃｙ  Ｃｏｎｄｕｔｉｖｅ  Ｐａｌｓｔｉｃｓ」，（ｐｕｂｌｉｓｈｅｒ  ｕｎｋｎｏｗｎ），Ｐｌａｓｔｉｃ  Ｗｏｒｌｄ，１９９６年，ｐ．７３−７７，
【非特許文献８７】Ｍｏｒｏｎｉ  ｅｔ  ａｌ．，「Ｒｉｇｉｄ  Ｒｏｄ  Ｃｏｎｊｕｇａｔｅｄ  Ｐｏｌｙｍｅｒｓ  ｆｏｒ  Ｎｏｎ−Ｌｉｎｅａｒ  Ｏｐｔｉｃｓ．１．Ｃｈａｒａｃｔｅｒｉｚａｔｉｏｎ  ａｎｄ  ｌｉｎｅａｒ  Ｏｐｔｉｃａｌ  Ｐｒｏｐｅｒｔｉｅｓ  ｏｆ  Ｐｏｌｙ（ａｒｙｌｅｎｅｅｔｈｙｎｙｌｅｎｅ）Ｄｅｒｉｖａｔｉｖｅｓ」，Ａｍｅｒｉｃａｎ  Ｃｈｅｍｉｃａｌ  Ｓｏｃｉｅｔｙ，１９９４年，第２７巻，第２号，ｐ．５６２−５７１
【非特許文献８８】Ｍｏｒｏｎｉ，Ｍ．ｅｔ  ａｌ．，「Ｒｉｇｉｄ  Ｒｏｄ  Ｃｏｎｊｕｇａｔｅｄ  Ｐｏｌｙｍｅｒｓ  ｆｏｒ  Ｎｏｎｌｉｎｅａｒ  Ｏｐｔｉｃｓ．３．Ｉｎｔｒａｍｏｌｅｃｕｌａｒ  Ｈ  Ｂｏｎｄ  Ｅｆｆｅｃｓ  ｏｎ  Ｐｏｌｙ（Ｐｈｅｎｙｌｅｎｅｅｔｈｙｎｙｌｅｎｅ）Ｃｈａｉｎｓ」，Ａｍｅｒｉｃａｎ  Ｃｈｅｍｉｃａｌ  Ｓｏｃｉｅｔｙ，Ｍａｃｒｏｍｏｌｅｃｕｌｅｓ，１９９７年，第３０巻，ｐ．１９６４−１９７２
【非特許文献８９】Ｎｉｋｏｌａｅｖ，Ｐ．ｅｔ  ａｌ．，「Ｇａｓ−Ｐｈａｓｅ  Ｃａｔａｌｙｔｉｃ  Ｇｒｏｗｔｈ  ｏｆ  ｓｉｎｇｌｅ−Ｗａｌｌｅｄ  Ｃａｒｂｏｎ  Ｎａｎｏｔｕｂｅｓ  ｆｒｏｍ  Ｃａｒｂｏｎ  Ｍｏｎｏｘｉｄｅ」，Ｅｌｓｅｖｉｅｒ  Ｓｃｉｅｎｃｅ  Ｂ．Ｖ．，Ｃｈｅｍｉｎｃａｌ  Ｐｈｙｓｉｃｓ  Ｌｅｔｔｅｒｓ，１９９９年，第３１３巻，ｐ．９１−９７
【非特許文献９０】Ｎｙｏｇｉ，Ｓ．ｅｔ  ａｌ．，「Ｃｈｒｏｍａｔｏｇｒａｐｈｉｃ  Ｐｕｒｆｉｃａｔｉｏｎ  ｏｆ  Ｓｏｌｕｂｌｅ  Ｓｉｎｇｌｅ−Ｗａｌｌｅｄ  Ｃａｒｂｏｎ  Ｎａｎｏｔｕｂｅｓ（ｓ−ＳＷＮＴｓ）」，Ｊ．Ａｍ．Ｃｈｅｍ．Ｓｏｃ，２００１年，ｐ．７３３−７３４
【非特許文献９１】Ｏ’Ｃｏｎｎｅｌｌ，Ｍ．ｅｔ  ａｌ．，「Ｒｅｖｅｒｓｉｂｌｅ  ｗａｔｅｒ  ｓｏｌｕｂｉｌｉｚａｔｉｏｎ  ｏｆ  ｓｉｎｇｌｅ−Ｗａｌｌｅｄ  Ｃａｒｂｏｎ  Ｎａｎｏｔｕｂｅｓ  ｂｙ  Ｐｏｌｙｍｅｒ  ｗｒａｐｐｉｎｇ」，Ｅｌｓｅｖｉｅｒ  Ｓｃｉｅｎｃｅ  Ｂ．Ｖ．，Ｃｈｅｍｉｎｃａｌ  Ｐｈｙｓｉｃｓ  Ｌｅｔｔｅｒｓ，２００１年，第３４２巻，ｐ．２６５−２７１
【非特許文献９２】Ｏｈ  ｅｔ  ａｌ．，「Ｓｔａｂｉｌｉｔｙ  ａｎｄ  ｃａｐ  ｆｏｒｍａｔｉｏｎ  ｍｅｃｈａｎｉｓｍ  ｏｆ  ｓｉｎｇｌｅ−ｗａｌｌｅｄ  ｃａｒｂｏｎ  ｎａｎｏｔｕｂｅｓ」，Ｐｈｙｓ．Ｒｅｖ．Ｂ，１９９８年，第５８巻，第１１号，ｐ．７４０７−７４１１
【非特許文献９３】Ｐａｒｋ  ｅｔ  ａｌ．，「Ｄｉｓｐｅｒｓｉｏｎ  ｏｆ  Ｓｉｎｇｌｅ  Ｗａｌｌ  Ｃａｒｂｏｎ  Ｎａｎｏｔｕｂｅｓ  ｂｙ  ｉｎ  Ｓｉｔｕ  Ｐｏｌｙｍｅｒｉｚａｔｉｏｎ  Ｕｎｄｅｒ  Ｓｏｎｉｃａｔｉｏｎ」，Ｅｌｓｅｖｉｅｒ  Ｓｃｉｅｎｃｅ  Ｂ．Ｖ．，Ｃｈｅｍｉｃａｌ  Ｐｈｙｓｉｃａｌ  Ｌｅｔｔｅｒｓ，２００２年，第３６４巻，ｐ．３０３−３０８
【非特許文献９４】Ｐａｔｅｎｔ  Ｃｏｏｐｅｒａｔｉｏｎ  Ｔｒｅａｔｙ  Ａｐｐｌｉｃａｔｉｏｎ  ＰＣＴ／ＵＳ２００２／４０７８９  Ｉｎｔｅｒｎａｔｉｏｎａｌ  Ｐａｔｅｎｔ  Ｃｏｏｒｐｅｒａｔｉｏｎ  Ｔｒｅａｔｙ  Ｓｅｒａｃｈ  Ｒｅｐｏｒｔ，２００３年４月１４日
【非特許文献９５】Ｐａｔｅｎｔ  Ｃｏｏｐｅｒａｔｉｏｎ  Ｔｒｅａｔｙ  Ａｐｐｌｉｃａｔｉｏｎ  ＰＣＴ／ＵＳ２００４／０１６２２６  Ｉｎｔｅｒｎａｔｉｏｎａｌ  Ｐａｔｅｎｔ  Ｃｏｏｒｐｅｒａｔｉｏｎ  Ｔｒｅａｔｙ  Ｓｅｒａｃｈ  Ｒｅｐｏｒｔ，２００５年１月１４日
【非特許文献９６】Ｐａｔｅｎｔ  Ｃｏｏｐｅｒａｔｉｏｎ  Ｔｒｅａｔｙ  Ａｐｐｌｉｃａｔｉｏｎ  ＰＣＴ／ＵＳ２００５／０１２７１２  Ｉｎｔｅｒｎａｔｉｏｎａｌ  Ｐａｔｅｎｔ  Ｃｏｏｒｐｅｒａｔｉｏｎ  Ｔｒｅａｔｙ  Ｓｅｒａｃｈ  Ｒｅｐｏｒｔ，２００５年９月２２日
【非特許文献９７】Ｐｏｔｓｃｈｋｅ  ｅｔ  ａｌ．，「Ｒｈｅｏｌｏｇｉｃａｌ  Ｂｅｈａｖｉｏｒ  ｏｆ  Ｍｕｌｔｉｗａｌｌｅｄ  Ｃａｒｂｏｎ  Ｎａｎｏｔｕｂｅ／Ｐｏｌｙｃａｒｂｏｎａｔｅ  Ｃｏｍｐｏｓｉｔｅｓ」，Ｅｌｓｅｖｉｅｒ  Ｓｃｉｅｎｃｅ  Ｌｔｄ，Ｐｏｌｙｍｅｒ，２００２年，第４３巻，ｐ．３２４７−３２５５
【非特許文献９８】Ｒａｊａｇｏｐａｌ  Ｒａｍａｓｕｂｒａｍａｎｉａｍ  ｅｔ  ａｌ．，「Ｈｏｍｏｇｅｎｏｕｓ  Ｃａｒｂｏｎ  Ｎａｎｏｔｕｂｅ／Ｐｏｌｙｍｅｒ  Ｃｏｍｐｏｓｉｔｅｓ  ｆｏｒ  Ｅｌｅｃｔｒｉｃａｌ  Ａｐｐｌｉｃａｔｉｏｎｓ」，Ａｍｅｒｉｃａｎ  Ｉｎｓｔｉｔｕｔｅ  ｏｆ  Ｐｈｙｓｉｃｓ，Ａｐｐｌｉｅｄ  Ｐｈｙｓｉｃｓ  Ｌｅｔｅｒｓ，２００３年，第８３巻，第１４号，ｐ．２９２８−２９３０
【非特許文献９９】Ｒａｐｐｅ  ｅｔ  ａｌ．，「ＵＦＦ，ａ  Ｆｕｌｌ  Ｐｅｒｉｏｄｉｃ  Ｔａｂｌｅ  Ｆｏｒｃｅ  Ｆｉｅｌｄ  ｆｏｒ  Ｍｏｌｅｃｕｌａｒ  Ｍｅｃａｎｉｃｓ  ａｎｄ  Ｍｏｌｅｃｕｌａｒ  Ｄｙｎａｍｉｃ  Ｓｉｍｕｌａｔｏｒｓ」，Ｊ．Ａｍ．Ｃｈｅｍ．Ｓｏｃ．，１９９２年，第１１４巻，１０００２４
【非特許文献１００】Ｒｉｇｇｓ，Ａ．Ｇ．ｅｔ  ａｌ．，「Ｓｔｒｏｎｇ  Ｌｕｍｉｎｅｓｃｅｎｃｅ  ｏｆ  Ｓｏｌｕｂｌｉｌｉｚｅｄ  Ｃａｒｂｏｎ  Ｎａｎｏｔｕｂｅｓ」，Ｊ．Ａｍ．Ｃｈｅｍ．Ｓｏｃ．，２０００年，第１２２巻，ｐ．５８７９−５８８０
【非特許文献１０１】Ｒｉｎｚｌｅｒ，Ａ．Ｇ．ｅｔ  ａｌ．，「Ｌａｒｇｅ−Ｓｃａｌｅ  Ｐｕｒｉｆｉｃａｔｉｏｎ  ｏｆ  Ｓｉｎｇｌｅ−Ｗａｌｌ  Ｃａｒｂｏｎ  Ｎａｎｏｔｕｂｅｓ：  Ｐｒｏｃｅｓｓ，  Ｐｒｏｄｕｃｔ，  ａｎｎｄ  Ｃｈａｒａｃｔｅｒｉｚａｔｉｏｎ」，Ｓｐｒｉｎｇｅｒ−Ｖｅｒｌａｇ，Ａｐｐｌ．Ｐｈｙｓ．Ａ，１９９８年，第６７巻，ｐ．２９−３７
【非特許文献１０２】Ｒｏｎｃａｌｉ，「Ｓｙｎｔｈｅｔｉｃ  Ｐｒｉｎｃｉｐｌｅｓ  ｆｏｒ  Ｂａｎｄｇａｐ  Ｃｏｎｔｒｏｌ  ｉｎ  Ｌｉｎｅａｒ．ｐｉ．−Ｃｏｎｊｕｇａｔｅｄ  Ｓｙｓｔｅｍｓ」，Ｃｈｅｍ．Ｒｅｖ，１９９７年，第９７巻，ｐ．１７３−２０５
【非特許文献１０３】Ｒｕｔｋｏｆｓｋｙ  ｅｔ  ａｌ．，「Ｕｓｉｎｇ  ａ  Ｃａｒｂｏｎ  Ｎａｎｏｔｕｂｅ  Ａｄｄｉｔｉｖｅ  ｔｏ  Ｍａｋｅ  ａ  Ｔｈｅｒｍａｌｌｙ  ａｎｄ  Ｅｌｅｃｔｒｉｃａｌｌｙ  Ｃｏｎｄｕｃｔｉｖｅ  Ｐｏｌｙｕｒｅｔｈａｎｅ」，Ｚｙｖｅｘ  Ｃｏｒｐｏｒａｔｉｏｎ，９７１１  Ｚｙｖｅｘ  Ａｐｌｉｃａｔｉｏｎ  Ｎｏｔｅ，２００４年５月５日
【非特許文献１０４】Ｒｕｔｋｏｆｓｋｙ  ｅｔ  ａｌ．，「Ｕｓｉｎｇ  ａ  Ｃａｒｂｏｎ  Ｎａｎｏｔｕｂｅ  Ａｓｓｉｔｉｖｅ  ｔｏ  Ｍａｋｅ  Ｅｌｅｃｔｒｉｃａｌｌｙ  Ｃｏｎｄｕｃｔｉｖｅ  Ｃｏｍｍｅｒｉｃａｌ  Ｐｏｌｙｍｅｒ  Ｃｏｍｐｏｓｉｔｅｓ」，Ｚｙｖｅｘ  Ｃｏｒｐｏｒａｔｉｏｎ，９７０９  Ｚｙｖｅｘ  Ａｐｐｌｉｃａｔｉｏｎ  Ｎｏｔｅ，２００４年３月１９日
【非特許文献１０５】Ｓｃｈａｄｌｅｒ，Ｌ．ｅｔ  ａｌ．，「Ｌｏａｄ  ｔｒａｎｓｆｅｒ  ｉｎ  ｃａｒｂｏｎ  ｎａｎｏｔｕｂｅ  ｅｐｏｘｙ  ｃｏｍｐｏｓｉｔｅｓ」，Ａｐｐｌｉｅｄ  Ｐｈｙｓｉｃｓ  Ｌｅｔｔｅｒｓ，１９９８年，第７３巻，第２６号，ｐ．３８４２−３８４４．
【非特許文献１０６】Ｓｃｈｌｉｔｔｌｅｒ  ｅｔ  ａｌ．，「Ｓｉｎｇｌｅ  Ｃｒｙｓｔａｌ  ｏｆ  Ｓｉｎｇｌｅ−Ｗａｌｌｅｄ  Ｃａｒｂｏｎ  Ｎａｎｏｔｕｂｅｓ  Ｆｏｒｍｅｄ  ｂｙ  Ｓｅｌｆ−Ａｓｓｅｍｂｌｙ」，Ｓｃｉｅｎｃｅ  ２００１年，第２９２巻，ｐ．１１３６−１１３９
【非特許文献１０７】Ｓｈｕｌｔｚ，Ｄ．ｅｔ  ａｌ．，「Ａ  Ｍｏｄｉｆｉｅｄ  Ｐｒｏｃｅｄｕｒｅ  ｆｏｒ  Ｓｏｎｏｇａｓｈｉｒａ  Ｃｏｕｐｌｉｎｇ：  Ｓｙｎｔｈｅｓｉｓ  ａｎｄ  Ｃｈａｒａｃｔｅｒｉｚａｔｉｏｎ  ｏｆ  ａ  Ｂｉｓｐｏｒｐｈｙｒｉｎ，１，１−Ｂｉｓ［ｚｉｎｃ（ｌｌ）５’ｅｔｈｙｎｙｌ−１０’，１５’，２０’−Ｔｔｒｉｍｅｓｉｔｙｌｐｏｒｐｈｙｒｉｎｙｌ］ｍｅｔｈｙｌｅｎｅｃｙｃｌｏｈｅｘａｎｅ」，Ａｍｅｒｉｃａｎ  Ｃｈｅｍｉｃａｌ  Ｓｏｃｉｅｔｙ，Ｊ．Ｏｒｇ．Ｃｈｅｍ．，１９９８年，第４３巻，ｐ．４０３４−，４０３８
【非特許文献１０８】Ｓｍｉｔｈ  ｅｔ  ａｌ．，「Ｆｏｒｍａｔｉｏｎ  Ｍｅｃｈａｎｉｓｍ  ｏｆ  Ｆｕｌｌｅｒｅｎｅ  ）Ｐｅａｐｏｄｓ  ａｎｄ  Ｃｏａｘｉａｌ  Ｔｕｂｅｓ：  Ａ  Ｐａｔｈ  ｔｏ  Ｌａｒｇｅ  Ｓｃａｌｅ  Ｓｙｎｔｈｅｓｉｓ」，Ｃｈｅｍ．Ｐｈｙｓ．Ｌｅｆｔ，２０００年，第３２１巻，ｐ．１６９−１７４
【非特許文献１０９】Ｓｏｎｏｇａｓｈｉｒａ，Ｋ．ｅｔ  ａｌ．，「Ａ  Ｃｏｎｖｅｎｉｅｎｔ  Ｓｙｎｔｈｅｓｉｓ  ｏｆ  Ａｃｅｔｌｙｔｉｃ  Ｓｕｂｓｔｉｔｕｔｉｏｎｓ  ｏｆ  Ａｃｅｔｙｌｅｎｉｃ  Ｈｙｄｒｏｇｅｎ  Ｗｉｔｈ  Ｂｒｏｍｏａｌｋｅｎｅｓ，ｌｏｄｏａｒｅｎｅｓ，ａｎｄ  Ｂｒｏｍｏｐｙｒｉｄｉｎｅｓ」，Ｐｅｒｇａｍｏｎ  Ｐｒｅｓｓ，ＧＢ，Ｔｅｔｒａｈｅｄｒｏｎ  Ｌｅｔｔｅｒｓ，１９７５年，第５０号，ｐ．４４６７−４４７０
【非特許文献１１０】Ｓｒｉｖａｓｔａｖａ  ｅｔ  ａｌ．，「Ｐｒｅｄｉｃｔｉｏｎ  ｏｆ  Ｅｎｈａｎｃｅｄ  Ｃｈｅｍｉｃａｌ  Ｒｅａｃｔｉｖｉｔｙ  ａｔ  Ｒｅｇｉｏｎｓ  ｏｆ  Ｌｏｃａｌ  Ｃｏｎｆｏｒｍａｔｉｏｎａｌ  Ｓｔｒａｉｎ  ｏｎ  Ｃａｒｂｏｎ  Ｎａｎｏｔｕｂｂｅｓ：  Ｋｉｎｋｙ  Ｃｈｅｍｉｓｔｒｙ」，Ｊ．Ｐｈｙｓ．Ｃｈｅｍ．Ｂ．，１９９９年，第１０３巻，ｐ．４３３０−４３３７
【非特許文献１１１】Ｓｔａｒ  ｅｔ  ａｌ．，「Ｐｒｅｐａｒａｔｉｏｎ  ａｎｄ  Ｐｒｏｐｅｒｉｅｓ  ｏｆ  Ｐｏｌｙｍｅｒ−Ｗｒａｐｐｅｄ  Ｓｉｎｇｌｅ−Ｗａｌｌｅｄ  Ｃａｒｂｏｎ  Ｎａｎｏｔｕｂｅｓ」，Ｗｉｌｅｙ−ＶＣＨ  Ｖｅｒｌａｇ  ＧｍｂＨ，Ａｎｇｅｗ．Ｃｈｅｍ．Ｉｎｔ．Ｅｄ．，２００１年，第４０巻，第９号，ｐ．１７２１−１７２５
【非特許文献１１２】Ｓｔｅｐｈａｎｅｋ，Ｉ．ｅｔ  ａｌ．，「Ｎａｎｏ−ｍｅｃｈａｎｉｃａｌ  ｃｕｔｔｉｎｇ  ａｎｄ  ｏｐｅｎｉｎｇ  ｏｆ  ｓｉｎｇｌｅ  ｗａｌｌ  ｃａｒｂｏｎ  Ｎａｎｏｔｕｂｅｓ」，Ｃｈｅｍｉｃａｌ  Ｐｈｙｓｉｃｓ  Ｌｅｔｔｅｒｓ，２０００年，第３３１巻，ｐ．１２５−１３１
【非特許文献１１３】Ｓｕｎ，Ｙ．ｅｔ  ａｌ．，「Ｓｏｌｕｂｌｅ  Ｄｅｎｄｒｏｎ−Ｆｕｎｃｔｉｏｎａｌｉｚｅｄ  Ｃａｒｂｏｎ  Ｎａｎｏｔｕｂｅｓ：  Ｐｒｅｐａｒｅｔｉｏｎ，  Ｃｈａｒａｃｔｅｒｉｚａｔｉｏｎ，  ａｎｄ  Ｐｒｏｐｅｒｔｉｅｓ」，Ｃｈｅｍ．Ｍａｔｅｒ．，２００１年，第１３巻，ｐ．２８６４−２８６９
【非特許文献１１４】Ｓｕｔｔｏｎ  ｅｔ  ａｌ．，「Ｏｎ  ｔｈｅ  ｍｏｒｐｈｏｌｏｇｙ  ａｎｄ  ｇｒｏｗｔｈ  ｏｆ  ｅｌｅｃｔｒｏｃｈｅｍｉｃａｌｌｙ  ｐｏｌｙｍｅｒｉｚｅｄ  ｐｏｌｙｐｙｒｒｏｌｅ」，Ｐｏｌｙｍｅｒ，１９９５年，第３６巻，第９号，ｐ．１８４９−１８５７
【非特許文献１１５】Ｓｚｅｊｔｌｉ，Ｊ．ｅｔ  ａｌ．，「Ｉｎｔｒｏｄｕｃｔｉｏｎ  ａｎｄ  ｇｅｎｅｒａｌ  ｏｖｅｒｖｉｅｗ  ｏｆ  Ｃｙｃｌｏｄｅｘｔｒｉｎ  Ｃｈｅｍｉｓｔｒｙ」，Ｃｈｅｍ．Ｒｅｖ，１９９８年，第９８巻，ｐ．１７４３−１７５３
【非特許文献１１６】Ｔａｎｇ  ｅｔ  ａｌ．，「Ｐｒｅｐａｒａｔｉｏｎ，  Ａｌｉｇｎｍｅｎｔ，  ａｎｄ  Ｏｐｔｉｃａｌ  Ｐｒｏｐｅｒｔｉｅｓ  ｏｆ  Ｓｏｌｕｂｌｅ  Ｐｏｌｙ（Ｐｈｅｎｙｌａｃｅｔｙｌｅｎｅ）−Ｗｒａｐｐｅｄ  Ｃａｒｂｏｎ  Ｎａｎｏｔｕｂｅｓ」，Ｍａｃｒｏｍｏｌｅｃｕｌｅｓ，１９９９年，第３２巻，ｐ．２５６９−２５７６
【非特許文献１１７】Ｔａｎｇ  ｅｔ  ａｌ．，「Ｓｕｐｅｒｃｏｎｄｕｃｔｉｖｉｔｙ  ｉｎ  ４  Ａｎｇｓｔｒｏｍ  Ｓｉｎｇｌｅ−Ｗａｌｌｅｄ  Ｃａｒｂｏｎ  Ｎａｎｏｔｕｂｅｓ」，Ｓｃｉｅｎｃｅ，２００１年，ｐ．２４６２−２４６５
【非特許文献１１８】Ｔａｓｉｓ  ｅｔ  ａｌ．，「Ｃｈｅｍｉｓｔｒｙ  ｏｆ  Ｃａｒｂｏｎ  Ｎａｎｏｔｕｂｅｓ」，Ａｍｅｒｉｃａｎ  Ｃｈｅｍｉｃａｌ  Ｓｏｃｉｅｔｙ，Ｂ  Ｃｈｅｍｉｃａｌ  Ｒｅｖｉｅｗｓ，Ｐｕｂｌｉｓｈｅｄ  ｏｎ  ｔｈｅ  Ｗｅｂ，２００６年２月２３日，ｐ．１−３２．
【非特許文献１１９】Ｔａｙｌｏｒ  ｅｔ  ａｌ．，「Ｓｙｎｔｈｅｓｉｓ  ａｎｄ  Ｃｈａｒａｃｔｅｒｉｚａｔｉｏｎ  ｏｆ  Ｐｏｌｙ（ｐ−ｐｈｅｎｙｌｅｎｅ）ｓ  ｗｉｔｈ  Ｎｏｎｌｉｎｅａｒ  Ｏｐｔｉｃａｌ  Ｓｉｄｅ  Ｃｈａｉｎｓ」，Ｍａｃｒｏｍｏｌｅｃｕｌｅｓ  ２０００，第３３巻，ｐ．２３５５−２３５８
【非特許文献１２０】Ｔｏｎｂｌｅｒ  ｅｔ  ａｌ．，「Ｒｅｖｅｒｓｉｂｌｅ  Ｅｌｅｃｔｒｏｍｅｃｈａｎｉｃａｌ  Ｃｈａｒａｃｔｅｒｉｓｔｉｃｓ  ｏｆ  Ｃａｒｂｏｎ  Ｎａｎｏｔｕｂｅｓ  Ｕｎｄｅｒ  Ｌｏｃａｌ−Ｐｒｏｂｅ  Ｍａｎｉｐｕｌａｔｉｏｎ」，Ｎａｔｕｒｅ，２０００年，第４０５巻，ｐ．７６９−７７２
【非特許文献１２１】Ｕ．Ｓ．  Ｐａｔｅｎｔ  Ａｐｐｌｉｃａｔｉｏｎ  ６０／７８０，６０６「Ｍｅｔｈｏｄｓ  ｏｆ  Ｐｒｅｐａｒｉｎｇ  Ｃａｒｂｏｎ  Ｎａｎｏｔｕｂｅ  Ｃｏａｔｉｎｇｓ」，Ｎｏ  Ｐｈｙｓｉｃａｌ  Ｃｏｐｙ
【非特許文献１２２】Ｕ．Ｓ．  Ｐａｔｅｎｔ  Ａｐｐｌｉｃａｔｉｏｎ  ６０／７８０，６０７「Ｆｌｅｘｉｂｌｅ  Ｔｒａｎｓｐａｒｅｎｔ  Ｃｏｎｄｕｃｔｉｖｅ  Ｃｏａｔｉｎｇ  Ｂａｓｅｄ  ｏｎ  Ｃａｒｂｏｎ  Ｎａｎｏｔｕｂｅｓ」，Ｎｏ  Ｐｈｙｓｉｃａｌ  Ｃｏｐｙ
【非特許文献１２３】Ｕ．Ｓ．  Ｐａｔｅｎｔ  Ａｐｐｌｉｃａｔｉｏｎ  ６０／７８０，６３１「（Ｄｉｓｐｅｒｓｉｎｇ  Ｃａｒｂｏｎ  Ｎａｎｏｔｕｂｅｓ  ｉｎ  Ｏｒｇａｎｉｃ  Ｓｏｌｖｅｎｔ」，Ｎｏ  Ｐｈｙｓｉｃａｌ  Ｃｏｐｙ
【非特許文献１２４】Ｕｎｉｔｅｄ  Ｓｔａｔｅｓ  Ｐａｔｅｎｔ  Ａｐｐｌｉｃａｔｉｏｎ  ６０／３７７８５６，ｆｉｌｅｄ  ０５／０２／２００２−Ｃｈｅｎ．
【非特許文献１２５】Ｕｎｉｔｅｄ  Ｓｔａｔｅｓ  Ｐａｔｅｎｔ  Ａｐｐｌｉｃａｔｉｏｎ  ６０／３７７９２０，ｆｉｌｅｄ  ０５／０２／２００２−Ｃｈｅｎ  ｅｔ  ａｌ．
【非特許文献１２６】Ｕｎｉｔｅｄ  Ｓｔａｔｅｓ  Ｐａｔｅｎｔ  Ａｐｐｌｉｃａｔｉｏｎ  ６０／４７２８２０，ｆｉｌｅｄ  ０５／２２／２００３−Ｃｈｅｎ  ｅｔ  ａｌ．
【非特許文献１２７】Ｗａｌｄｅｃｋ，Ｄ．Ｈ．ｅｔ  ａｌ．，「Ｎｏｎｒａｄｉａｔｉｖｅ  ｄａｍｐｌｉｎｇ  ｏｆ  ｍｏｌｅｃｕｌａｒ  ｅｌｅｃｔｒｏｎｉｃ  ｅｘｉｔｅｄ  ｓｔａｔｅｓ  ｂｙ  ｍａｔｅｒｉａｌ  ｓｕｒｆａｃｅｓ」，Ｓｕｒ．Ｓｃｉ．，１９８５年，第１５８巻，ｐ．１０３
【非特許文献１２８】Ｗａｔｔｓ  ｅｔ  ａｌ．，「Ｔｈｅ  Ｐｅｒｍｉｔｔｉｖｉｔｙ  ｏｆ  Ｍｕｌｔｉ−Ｗａｌｌｅｄ  Ｃａｒｂｏｎ  Ｎａｎｏｔｕｂｅ−Ｐｏｌｙｓｔｙｒｅｎｅ  Ｃｏｍｐｏｓｉｔｅ  Ｆｉｌｍｓ  ｉｎ  Ｘ−Ｂａｎｄ」，Ｃｈｅｍｉｃａｌ  Ｐｈｙｓｉｃｓ  Ｌｅｔｔｅｒｓ，２００３年，第３７８巻，ｐ．６０９−６１４，Ｅｌｓｅｖｉｅｒ  Ｂ．Ｖ．
【非特許文献１２９】Ｗｏｎｇ  ｅｔ  ａｌ．，「Ｃｏｖａｌｅｎｔｌｙ−Ｆｕｎｃｔｉｏｎａｌｉｚｅｄ  Ｓｉｎｇｌｅ−Ｗａｌｌｅｄ  Ｃａｒｂｏｎ  Ｎａｎｏｔｕｂｅ  Ｐｒｏｂｅ  Ｔｉｐｓ  ｆｏｒ  Ｃｈｅｍｉｃａｌ  Ｆｏｒｃｅ  Ｍｉｃｒｏｓｃｏｐｙ」，Ｊ．Ａｍ．Ｃｈｅｍ．Ｓｏｃ，１９９８年，第１２０巻，８５５７−８５５８）．
【非特許文献１３０】Ｗｕ  ｅｔ  ａｌ．，「Ｓｙｎｔｈｅｓｉｓ  ｏｆ  Ｃａｂｏｘｙｌ−Ｃｏｎｔａｉｎｉｎｇ  Ｃｏｎｄｕｃｔｉｎｇ  Ｏｌｉｇｏｍｅｒ  ａｎｄ  Ｎｏｎ−Ｃｏｖａｌｅｎｔ  Ｓｉｄｅｗａｌｌ  Ｆｕｎｃｔｉｏｎａｌｉｚａｔｉｏｎ  ｏｆ  Ｓｉｎｇｌｅ−Ｗａｌｌｅｄ  Ｃａｒｂｏｎ  Ｎａｎｏｔｕｂｅｓ」，Ｊｏｕｒｎａｌ  ｏｆ  Ｍａｔｅｒｉａｌｓ  Ｃｈｅｍｉｓｔｒｙ，２００５年，１５，ｐ．１８３３−１８７３．
【非特許文献１３１】Ｙａｋｏｂｓｏｎ  ｅｔ  ａｌ．，「Ｆｕｌｌｅｒｅｎｅ  Ｎａｎｏｔｕｂｅｓ：  Ｃ１，０００，０００  ａｎｄ  Ｂｅｙｏｎｄ」，（Ａｅｒｉｃａｎ  Ｓｃｉｅｎｔｉｓｔ），１９９７年，第８４巻，ｐ．３２４−３３７，（Ｓｉｇｍａ  Ｘｉ，  Ｔｈｅ  Ｓｃｉｅｎｔｉｆｉｃ  Ｒｅｓｅａｒｃｈ  Ｓｏｃｉｅｔｙ）．
【非特許文献１３２】Ｙａｍｏａｍｏｔｏ  ｅｔ  ａｌ．，「Ｐｒｅｐａｒａｔｉｏｎ  ｏｆ  Ｐｉ−Ｃｏｎｊｕｇａｔｅｄ  Ｐｏｌｙｍｅｒｓ  Ｃｏｍｐｏｓｅｄ  ｏｆ  Ｈｙｄｒｏｑｕｉｎｏｎｅ，ｐ−Ｂｅｎｚｏｑｕｉｎｏｎｅ，ａｎｄ  ｐ−Ｄｉａｃｅｔｏｘｙｐｈｅｎｙｌｅｎｅ  Ｕｎｉｔｓ．  Ｏｐｔｉｃａｌ  Ｒｅｄｏｘ  Ｐｒｏｐｅｒｔｉｅｓ  ｏｆ  ｔｈｅ  Ｐｏｌｙｍｅｒｓ」，（Ｍａｃｒｏｍｏｌｅｃｕｌｅｓ，Ａｍｅｒｉｃａｎ  Ｃｈｅｍｉｃａｌ  Ｓｏｃｉｅｔｙ），１９９９年，（３２），ｐ．５５５６−８８９６．
【非特許文献１３３】Ｙａｍａｏｍｏｔｏ，Ｔａｋａｋａｚｕ，「ＰＡＥｓ  Ｗｉｔｈ  Ｈｅｔｒｏａｒｏｍａｔｉｃ  Ｒｉｎｇｓ」，（Ａｄｖ．Ｐｏｌｙｍ  Ｓｃｉ），２００５年，（１７７），ｐ．１８１−２０８．
【非特許文献１３４】Ｙａｎｇ  ｅｔ  ａｌ．，「Ｅｆｆｉｃｉｅｎｔ  Ｂｌｕｅ  Ｐｏｌｙｍｅｒ  Ｌｉｇｈｔ−Ｅｍｉｔｔｉｎｇ  Ｄｉｏｄｅｓ  ｆｒｏｍ  ａ  Ｓｅｒｉｅｓ  ｏｆ  Ｓｏｌｕｂｌｅ  Ｐｏｌｙ（Ｐａｒａｈｅｎｙｌｅｎｅ）ｓ」，（Ｊｏｕｒｎａｌ  ｏｆ  Ａｐｐｌｉｅｄ  Ｐｈｙｓｉｃｓ――Ｊａｎｕｒａｒｙ  １５），１９９６年，（Ｖｏｌｕｍｅ  ７９，Ｉｓｓｕｅ  ２），ｐ．９３４−９３９．
【非特許文献１３５】ジャン（Ｚｈａｎｇ  ｅｔ  ａｌ．，「Ｅｌｅｃｔｒｉｃ−Ｆｉｅｌｄ−Ｄｉｒｅｃｔｅｄ  Ｇｒｏｗｔｈ  ｐｆ  Ａｌｉｇｎｅｄ  Ｓｉｎｇｌｅ−Ｗａｌｌｅｄ  Ｃａｒｂｏｎ  Ｎａｎｏｔｕｂｅｓ」，（Ａｐｐｌｉｅｄ  Ｏｈｙｓｉｃｓ  Ｌｅｔｔｅｒｓ），２００１年，第７９巻，第１９号，ｐ．３１５５−３１５７．
【非特許文献１３６】Ｚｈａｏ  ｅｔ  ａｌ．，「Ｃｈｒｏｍａｔｏｇｒａｐｈｉｃ  Ｐｕｒｉｆｉｃａｔｉｏｎ  ａｎｆ  Ｐｒｏｐｅｒｔｉｅｓ  Ｓｉｎｇｌｅ−Ｗａｌｌｅｄ  Ｃａｒｂｏｎ  Ｎａｎｏｔｕｂｅｓ」，（Ｊ．Ａｍ．Ｃｈｅｍ．Ｓｏｃ），２００１年，（１２３，１１６７３−１１６７７）．
【非特許文献１３７】Ｚｈａｏ  ｅｔ  ａｌ．，「Ｍｅｔａ−Ｌｉｎｋｅｄ  Ｐｏｌｙ（Ｐｈｅｎｙｌｅｎｅ  ｅｔｈｙｎｙｌｅｎｅ）Ｃｏｎｊｕｇａｔｅｄ  Ｐｏｌｙｅｌｅｃｔｒｏｌｙｔｅ  Ｆｅａｔｕｒｉｎｇ  ａ  Ｃｈｉｒａｌ  Ｓｉｄｅ  Ｇｒｏｕｐ：  Ｈｅｉｌｃａｌ  Ｆｏｌｄｉｎｇ  ａｎｄ  Ｇｕｅｓｔ  Ｂｉｎｄｉｎｇ」，（Ｌａｎｇｍｕｉｒ），２００６年，（２２），ｐ．４８５６−４８６２．
【非特許文献１３８】Ｚｈｏｕ，Ｑ．  ｅｔ  ａｌ．，「Ｆｌｕｏｒｅｓｃｅｎｔ  Ｃｈｅｍｏｓｅｎｓｏｒｓ  Ｂａｓｅｄ  ｏｎ  Ｅｎｅｒｇｙ  Ｍｉｇｒａｔｉｏｎ  ｉｎ  Ｃｏｎｊｕｇａｔｅｄ  Ｐｏｌｙｍｅｒ：  Ｔｈｅ  Ｍｏｌｅｃｕｌａｒ  Ｗｉｒｅ  Ａｐｐｒｏｃｈ  ｔｏ  Ｉｎｃｒｅａｓｅｄ  Ｓｅｎｓｉｔｉｖｉｔｙ」，（Ｊ．Ａｍ．Ｃｈｅｍ．Ｓｏｃ．），１９９５年，第１１７巻，ｐ．１２５９３−１２６０２，（Ａｍｅｒｉｃａｎ  Ｃｈｅｍｉｃａｌ  Ｓｏｃｉｅｔｙ）
【非特許文献１３９】Ｚｙｖｅｘ  Ｃｏｒｐｏｒａｔｉｏｎ，  Ｎａｎｏｔｕｂｅ  Ｆｕｎｃｔｉｏｎａｌｉｚａｔｉｏｎ  ｂｅｎｅｆｉｔｓ  Ｏｎ−ｌｉｎｅ  Ｐｒｏｄｕｃｔ  Ｄｉｓｐｌａｙ，  Ｚｙｖｅｘ  Ｄｒｉｅｄ  Ｆｌｉｍ，２００３年，Ｚｙｖｅｘ  Ｃｏｒｐｏｒａｔｉｏｎ．（ｈｔｔｐ：／／ｗｗｗ．ｚｙｖｅｘ．ｃｏｍ／ｐｒｏｄｕｃｔｓ／ｚｂｆ＿ｂｅｎｅｆｉｔｓ．ｈｔｍｌ）
【非特許文献１４０】Ｚｙｖｅｘ  Ｃｏｒｐｏｒａｔｉｏｎ，  Ｎａｎｏｔｕｂｅ  Ｆｕｎｃｔｉｏｎａｌｉｚａｔｉｏｎ  ｆａｑｓ  Ｏｎ−ｌｉｎｅ  Ｐｒｏｄｕｃｔ  Ｄｉｓｐｌａｙ，２００３年，Ｚｙｖｅｘ  Ｄｒｉｅｄ  Ｆｌｉｍ，Ｚｙｖｅｘ  Ｃｏｒｐｏｒａｔｉｏｎ．（ｈｔｔｐ：／／ｗｗｗ．ｚｙｖｅｘ．ｃｏｍ／ｐｒｏｄｕｃｔｓ／ｃｎｔ＿ｆｒａｑ＿２．ｈｔｍｌ）
【非特許文献１４１】Ｚｙｖｅｘ  Ｃｏｒｐｏｒａｔｉｏｎ，  Ｎａｎｏｔｕｂｅ  Ｆｕｎｃｔｉｏｎａｌｉｚａｔｉｏｎ  ｆｅａｔｕｒｅｓ  Ｏｎ−ｌｉｎｅ  Ｐｒｏｄｕｃｔ  Ｄｉｓｐｌａｙ，  Ｚｙｖｅｘ  Ｄｒｉｅｄ  Ｆｌｉｍ，２００３年，Ｚｙｖｅｘ  Ｃｏｒｐｏｒａｔｉｏｎ．（ｈｔｔｐ：／／ｗｗｗ．ｚｙｖｅｘ．ｃｏｍ／ｐｒｏｄｕｃｔｓ／ｚｂｆ＿ｆｅａｔｕｒｅｓ．ｈｔｍｌ）
【非特許文献１４２】Ｚｙｖｅｘ  Ｃｏｒｐｏｒａｔｉｏｎ，  Ｎａｎｏｔｕｂｅ  Ｆｕｎｃｔｉｏｎａｌｉｚａｔｉｏｎ  ｓｐｅｃｉｆｉｃａｔｉｏｎｓ−Ｚｙｖｅｘ  Ｄｒｉｅｄ  Ｆｌｉｍ  Ｏｎ−ｌｉｎｅ  Ｐｒｏｄｕｃｔ  Ｄｉｓｐｌａｙ，２００３年，Ｚｙｖｅｘ  Ｃｏｒｐｏｒａｔｉｏｎ．（ｈｔｔｐ：／／ｗｗｗ．ｚｙｖｅｘ．ｃｏｍ／ｐｒｏｄｕｃｔｓ／ｚｂｆ＿ｓｐｅｃｓ．ｈｔｍｌ）